(57)【要約】  本明細書で説明されるシステムおよび方法は、ビームフォーミング技法並びにアップリンク制御およびデータ送信技法のために提供される。そのような技法は、ＵＥが、複数のビームおよび／またはポイントを伴う動作のために少なくとも１つのビームプロセスを維持することを可能にする。ビームプロセスは、ダウンリンク物理チャネルまたはアップリンク物理チャネル上での送信または受信について示され得る。電力、タイミング、およびチャネル状態情報は、ビームプロセスに固有であり得る。ビームプロセスは、リソースがランダムアクセス応答メッセージ中でプロビジョニングされ得るランダムアクセスプロシージャの一部として確立され得る。ビームプロセス障害を扱うための技法、モビリティのためにビームプロセスを使用するための技法、並びに開ループ選択プロシージャおよび閉ループ選択プロシージャを使用してビームを選択するための技法が提供される。
2019521548.tif 000002
【特許請求の範囲】
【請求項１】
複数のアンテナ要素を含むユーザ機器（ＵＥ）エンティティによる使用のための方法であって、
複数のビームプロセスとともに前記ＵＥエンティティを構成することであって、各ビームプロセスは、プリコーディング重みの対応するセットを使用して取得された放射パターンに対応する、ことと、
前記複数の構成されたビームプロセスの中から第１の選択されたビームプロセスを選択することと、
前記第１の選択されたビームプロセスに対応するプリコーディング重みの前記セットによって前記アンテナ要素を重み付けすることを含む、前記第１の選択されたビームプロセスを使用して第１の送受信ポイント（ＴＲＰ）と通信することと
を含む方法。
【請求項２】
前記第１の選択されたビームプロセスは、対応する送信電力レベルと対応するタイミングアドバンスとをさらに含み、前記第１の選択されたビームプロセスを使用して通信することは、前記対応する送信電力レベルと前記対応するタイミングアドバンスとを使用して送信することを含む、請求項１の方法。
【請求項３】
前記第１の選択されたビームプロセスは、対応する自動利得コントローラ設定をさらに含み、前記第１の選択されたビームプロセスを使用して通信することは、前記対応する自動利得コントローラ設定を使用して受信することを含む、請求項１の方法。
【請求項４】
前記第１のＴＲＰから前記ＵＥエンティティによって受信された指示に応答して、追加のビームプロセスを構成することをさらに含む、請求項１の方法。
【請求項５】
人体に対する対応するビームの近接度に応答して前記複数のビームプロセスの少なくともそれぞれのビームプロセスを再構成することをさらに含む、請求項１の方法。
【請求項６】
複数の利用可能なビームの中から前記それぞれのビームプロセスとともに使用するための前記対応するビームを選択することによって、前記複数のビームプロセスの少なくともそれぞれのビームプロセスを構成することをさらに含む、請求項１の方法。
【請求項７】
前記それぞれのビームプロセスを構成することは、前記選択された対応するビームのビームクラスに少なくとも部分的に基づいて送信電力を事前構成することを含み、前記ビームクラスは前記ビームの指向性に基づいて決定される、請求項６の方法。
【請求項８】
前記複数の利用可能なビームの中からビームを選択することは、前記複数の利用可能なビームの各々を使用してビームサウンディング基準信号を送信することと、前記利用可能なビームの各々に対応するフィードバックを受信することとを含む、請求項６の方法。
【請求項９】
前記複数の利用可能なビームの中からビームを選択することは、前記複数の利用可能なビームの各々を使用してビーム選択基準信号を受信し、測定することを含む、請求項６の方法。
【請求項１０】
前記それぞれのビームプロセスを構成することは、ランダムアクセスプロシージャにおいて実行される、請求項６の方法。
【請求項１１】
前記第１の選択されたビームプロセスは、第１の通信リソースを使用した通信のために選択され、
第２の通信リソースを使用した通信のために前記複数の構成されたビームプロセスの中から第２の選択されたビームプロセスを選択することと、
前記第１の通信リソースをもつ前記第１の選択されたビームプロセスと前記第２の通信リソースのための前記第２の選択されたビームプロセスとを使用して前記ＴＲＰと通信することと
をさらに含む、請求項１の方法。
【請求項１２】
前記第１の通信リソースおよび前記第２の通信リソースは、異なる時間リソースである、請求項１１の方法。
【請求項１３】
前記第１の通信リソースおよび前記第２の通信リソースは、異なる周波数リソースである、請求項１１の方法。
【請求項１４】
前記第１の通信リソースおよび前記第２の通信リソースは、異なるコードリソースである、請求項１１の方法。
【請求項１５】
第２のＴＲＰとの通信のために前記複数の構成されたビームプロセスの中から第２の選択されたビームプロセスを選択することと、
前記第２の選択されたビームプロセスに対応するプリコーディング重みの前記セットによって前記アンテナ要素を重み付けすることを含む、前記第２の選択されたビームプロセスを使用して前記第２のＴＲＰと通信することと
をさらに含む請求項１の方法。
【請求項１６】
前記ビームプロセスのうちの少なくとも２つは、異なる構成された最大電力パラメータを含む、請求項１の方法。
【請求項１７】
前記第１の選択されたビームプロセスを使用した通信中に無線リンク障害を検出することと、
反応して、第２の選択されたビームプロセスを選択することと、
その後、前記第２の選択されたビームプロセスを使用して前記第１のＴＲＰと通信することと
をさらに含む、請求項１の方法。
【発明の詳細な説明】
【背景技術】
【０００１】
関連出願の相互参照
本出願は、2016年5月11日に出願された「Systems and Methods for Beamformed Uplink Transmission」と題された米国特許仮出願第62/334,754号明細書、2016年8月10日に出願された「Systems and Methods for Beamformed Uplink Transmission」と題された米国特許仮出願第62/373,076号明細書、および2016年12月30日に出願された「Systems and Methods for Beamformed Uplink Transmission」と題された米国特許仮出願第62/440,903号明細書の非仮出願であり、米国特許法第１１９条（ｅ）項に基づく利益を主張する。これらの出願の全ては、その全体が参照により本明細書に組み込まれる。
【０００２】
次世代のセルラー通信システムのために必要とされる高データレートを満たすために、ワイヤレス産業および学会は、ｃｍＷ周波数およびｍｍＷ周波数など、高い周波数において利用可能な大帯域幅を活用するやり方を探求している。
【０００３】
これらの高い周波数は、特に屋外環境における無線通信にとって不都合な伝搬特性を有し得る。より高い周波数送信は、より高い、自由空間経路損失を経験し得る。降雨および大気ガス（酸素および群葉など）が、サブ６ＧＨｚ周波数と比較して、さらなる減衰を追加し得る。さらに、透過および回折減衰が、ｍｍＷ周波数においてなど、より高い周波数において、より厳しくなり得る。
【０００４】
全てのこれらの伝搬特性は、著しい非見通し線（ＮＬＯＳ）伝搬経路損失を生じ得る。例えば、ｍｍＷ周波数において、ＮＬＯＳ経路損失は、見通し線（ＬＯＳ）経路損失よりも２０ｄＢ超高くなり、ｍｍＷ送信のカバレージを厳しく限定し得る。
【先行技術文献】
【非特許文献】
【０００５】
【非特許文献１】Section 7.1.1 of 3GPP specification TR37.842, Radio Frequency Requirement Background for Active Antenna System Base Station, Release 13, v.1.8.0, October 2015
【発明の概要】
【０００６】
より高い周波数帯域中でスループットを増加させ、十分なカバレージを維持するために、新しい無線（ＮＲ：New Radio）システムが、レガシーシステムと比較して、より多くのＵＥアンテナ要素を使用する。６４個ものアンテナ要素を使用するＵＥの場合、マルチアンテナ送信を制御するためのレガシー手法は、最高６４個のアンテナポートについて最高６４個の直交基準信号およびシグナリングプリコーダを送信することのオーバーヘッドにより、実行不可能になる。例示的な実施形態は、ＵＥが、アップリンク送信またはサイドリンク送信のためのプリコーディング重みおよび他のパラメータのセットを決定することを可能にする。
【０００７】
同様に、ダウンリンク方向において、ネットワーク機器は、レガシーシステムと比較して、より多くのアンテナ要素を装備し、現在の手法を実行不可能にし得る。例示的な実施形態は、ネットワーク側におけるプリコーディング重みの適切な選択を可能にするために、受信（ダウンリンクまたはサイドリンク）並びにフィードバックのためのプリコーディング重みを選択する。例示的な実施形態はまた、低いエネルギー効率および限定されたスペクトル効率を生じる共通ダウンリンク基準信号の連続送信に依拠しないことなど、ＮＲの他の所望の設計特徴を可能にする。
【０００８】
動作中の狭いビームパターンの使用は、受信されたエネルギーを、ＵＥ回転および動的妨害中に急激に劣化させることがある。チャネルがシステムプロシージャまたはアクティブデータ送信／受信中にＵＥ自体の回転または動的妨害物により急激に変動するとき、ビームを調整し、ビームプロセスを管理するための、ＵＥによって実装される方法が、本明細書で開示される。
【０００９】
ビームフォーミング技法並びにアップリンク制御およびデータ送信技法は、ＵＥが、複数のビームおよび／またはポイントを伴う動作のために少なくとも１つのビームプロセスを維持することを可能にする。ビームプロセスは、ダウンリンク物理チャネルまたはアップリンク物理チャネル上での送信または受信について示され得る。電力、タイミング、およびチャネル状態情報は、ビームプロセスに固有であり得る。ビームプロセスは、リソースがランダムアクセス応答メッセージ中でプロビジョニングされ得るランダムアクセスプロシージャの一部として確立され得る。同時ビームプロセス電力割振りのために、例えばＳＡＲによって引き起こされるビームプロセス最大電力バックオフ（ＭＰＲ：maximum power back-off）のために、ＭＰＲによるビーム再選択のために、並びにＵＥ回転および動的妨害物によるビーム再選択および修復のために、ビームプロセス障害を扱うための技法、モビリティのためにビームプロセスを使用するための技法、開ループ選択プロシージャおよび閉ループ選択プロシージャを使用してビームを選択するための技法が提供される。
【００１０】
本明細書で開示されるシステムおよび方法は、レガシーシステムと比較して、５Ｇ  ＮＲにおいて使用される、ＵＥ側における多数のアンテナ要素のサポートを提供する。本明細書で開示されるシステムおよび方法は、さらに、ＵＥ受信および送信のためのプリコーディング重みの効率的な選択に関する。本明細書で開示される例示的なビームベースＮＲシステムおよび方法は、エネルギー効率およびスペクトル効率を達成するために、共通ダウンリンク基準信号の連続送信に対する依拠を低減する。
【００１１】
例示的な実施形態では、１つまたは複数のビームおよび／またはポイントを伴う動作のために、ＵＥは、ビームおよび／またはポイントごとに１つのビームプロセスを維持する。ビームプロセスは、ダウンリンク物理チャネルまたはアップリンク物理チャネル上での送信／受信について示され得る。電力、タイミング、チャネル状態情報は、ビームプロセスに固有であり得る。ビームプロセスは、リソースがランダムアクセス応答中でプロビジョニングされ得るランダムアクセスプロシージャの一部として確立され得る。ＵＥは、ビームプロセスに固有であるリンク品質を監視し得、個々のビーム品質またはアグリゲートされたビーム品質に基づいてビームプロセスのリンク障害を宣言し得る。ＵＥは、ビームプロセスの使用に基づいてモビリティを扱い得る。ＵＥは、（ｉ）例えばチャネル相反性に基づいて、開ループ、および／または（ｉｉ）例えばビーム測定に基づいて、閉ループを使用して、ビームプロセスごとにビーム選択プロシージャを実行し得る。
【図面の簡単な説明】
【００１２】
より詳細な理解が、添付図面と共に例として提示される、以下の説明から得られ得る。
【図１】ビームパターンについての３次元グラフを示す図である。
【図２】ビームフォーミングプロセスの機能ブロック図である。
【図３Ａ】ビーム中心方向がビームピーク方向と同じであるときの例示的なビーム分布パターンを示す図である。
【図３Ｂ】ビーム中心方向がビームピーク方向と同じでないときの例示的なビーム分布パターンを示す図である。
【図４】ビーム伝搬の例示的な実施形態の概略図である。
【図５】ビームグループおよびビームクラスを示すためのビーム送信パターンを示す図である。
【図６】ＳＡＲによって影響を及ぼされるアクティブビームプロセスのアップリンクビーム再選択の一実施形態を示す概略図である。
【図７Ａ】１つまたは複数の開示される実施形態が実装され得る例示的な通信システムを示す図である。
【図７Ｂ】図７Ａの通信システム内で使用され得る例示的な無線アクセスネットワーク（ＲＡＮ）および例示的なコアネットワークを示す図である。
【図７Ｃ】図７Ａの通信システム内で使用され得る第２の例示的なＲＡＮおよび第２の例示的なコアネットワークを示す図である。
【図７Ｄ】図７Ａの通信システム内で使用され得る第３の例示的なＲＡＮおよび第３の例示的なコアネットワークを示す図である。
【図７Ｅ】図７Ａの通信システム内で使用され得る例示的な無線送受信ユニット（ＷＴＲＵ）を示す図である。
【図７Ｆ】図７Ａの通信システム内で使用され得る例示的なネットワークエンティティを示す図である。
【発明を実施するための形態】
【００１３】
５Ｇビームベース無線アクセス
ワイヤレス産業および学会によって実行された最近のチャネル測定が、ビームフォーミング技法の助けをかりた満足なセルラーカバレージの実現可能性を証明した。測定データは、ビームフォーミング利得が、ＬＯＳ条件においてより高いデータスループットを達成するために、セルラー制御シグナリングのために使用されるカバレージを提供し、リンク容量をブーストすることを示す。
【００１４】
５Ｇ  ＮＲセルラーシステムのためのチャネル伝搬特性および極めて高いデータスループットは、ブロードキャストおよび共通目的のためのものを含む全ての物理レイヤ信号およびチャネル上でビームフォーミングを使用することと、ビームベースプロシージャまたはビーム中心プロシージャに焦点を当てることとを求め得る。５Ｇ  ＮＲシステム設計は、たいていのまたは全ての物理レイヤ信号およびチャネルのためのビームフォーミングを伴う、ビームフォーミングされたアクセスリンクを可能にし得る。物理レイヤ信号およびチャネルは、デジタルビームフォーミング、アナログビームフォーミング、およびハイブリッドビームフォーミングを含む、異なるビームフォーミング技法を適用し得、それの固有のビームフォーミング構成を記憶し得る。
【００１５】
ビームフォーミングは、従来のセルラーシステムと比較して、角度領域における追加の自由度を提供し得る。システム設計は、各物理レイヤ信号およびチャネルに固有のビームフォーミングおよびビームベース特徴を考慮に入れ、（アップリンク送信、セル探索、ランダムアクセス、および制御チャネル復号などの）対応する制御およびシステムプロシージャを組み込み得る。
【００１６】
ビームフォーミング技法
ビームフォーミング技法は、デジタルビームフォーミング、アナログビームフォーミング、およびハイブリッドビームフォーミングを含む。デジタルビームフォーミングでは、各アンテナ要素は、ＲＦ処理およびＡＤＣ／ＤＡＣを含む、専用ＲＦチェーンを有し得る。各アンテナ要素によって処理された信号は、チャネル容量を最適化するために、位相および振幅において独立して制御され得る。ＲＦチェーンの数はアンテナ要素の数に等しくなり得る。極めて高い性能を提供しながら、デジタルビームフォーミング技法は、高いコスト、実装複雑さ、および高いエネルギー消費を伴うことがある。
【００１７】
アナログビームフォーミングは、位相アンテナアレイ（ＰＡＡ：Phase Antenna Array）を構成するいくつかのアンテナ要素について１つのＲＦチェーンを適用し得る。各アンテナ要素は、ＰＡＡのアンテナパターンのビームフォーミングおよびステアリングのための位相のみの（phase-only）重みを設定するために、位相シフタを使用し得る。適用されるＲＦチェーンの数は、アンテナ要素の数よりも著しく低くなり得る。ＲＦチェーンの数は、ＰＡＡの数と同じであるかまたはそれよりも低くなり得る。例えば、複数のＰＡＡが単一のＲＦチェーンに接続され得、各ＰＡＡは、特定の方位角および高度カバレージのためのアンテナパターンを有し得る。ＲＦチェーンは、異なる方向および時間インスタンスにおいて１つのビームを使用することによって、広いカバレージを提供するために、複数のＰＡＡとともに単一のＲＦチェーンを使用するために、一度に１つのＰＡＡに切り替えられ得る。
【００１８】
ハイブリッドビームフォーミングは、デジタルプリコーディングとアナログビームフォーミングとを組み合わせ得る。アナログビームフォーミングは、ＲＦチェーンに接続されたＰＡＡのアンテナ要素上で実行され得る。デジタルプリコーディングは、各ＲＦチェーンおよびそれの関連付けられたＰＡＡについてベースバンド信号に適用され得る。ハイブリッドビームフォーミングの構成は、いくつかのデータストリーム、いくつかのＲＦチェーン、いくつかのＰＡＡ、およびいくつかのアンテナ要素を含み得る。ＲＦチェーンに接続されたＰＡＡは、ビームフォーミングされた基準信号によって一意に識別されたアンテナポートによって表され得、ビームフォーミングされた基準信号は、そのようなアンテナポートに固有である。
【００１９】
図１は、４×４均一線形アレイを使用する例示的なＵＥ３次元送信ビームパターンのグラフ１００である。
【００２０】
図２は、２つの送信機２０２、２０４および２つの位相アンテナ２０６、２０８をもつハイブリッドビームフォーミングシステム２００の例示的なＵＥブロック図を示す。それは、ＢＢ処理ブロック２１２におけるデジタルプリコーディング２１０から開始する。Ｉ（２１４、２１８）出力信号およびＱ（２１６、２２０）出力信号が、ＡＤＣブロック２２２、２２４および無線周波数処理ブロック２２６、２２８を通過して、アナログビームフォーミングのために位相シフトアンテナアレイ２０６、２０８を介して送信される。
【００２１】
デジタルビームフォーミング技法のための高い実装コストおよび高いエネルギー消費が、ＮＲシステム設計のための実装考慮事項につながり得る。５Ｇ  ＮＲビームフォーミング技法は、アンテナ要素の数よりもかなり低い数の５Ｇ  ＮＲトランシーバノードを用いたハイブリッドビームフォーミングに基づき得る。アナログビームフォーミング技法は、Ｌ１／Ｌ２３システムプロシージャに対する著しい影響を有し、新しいプロシージャの挙動およびシーケンスにつながり得る。ビームフォーミングされた送信は、信号オーバーヘッドおよびエネルギー消費を低減するように時間領域と空間領域の両方において送信をカスタマイズするために、高度のフレキシビリティをｅＮＢに提供し得る。
【００２２】
ＬＴＥ／ＬＴＥ−Ａアップリンクマルチアンテナ技法
ＬＴＥおよびＬＴＥ−Ａは、マルチアンテナ技法を可能にする。送信アンテナ選択では、開ループアンテナ選択は、アップリンク許可ＣＲＣビット上のスクランブリングをマスキングする。閉ループ送信アンテナ選択は、随意のＵＥ能力報告に基づいて上位レイヤによって構成される。空間直交リソース送信ダイバーシティ（ＳＯＲＴＤ：Spatial Orthogonal Resource Transmit Diversity）方法は、異なる直交リソースを使用する異なるＵＥアンテナ上のＵＣＩと同じである。ＰＵＣＣＨでは、それは、デュアルアンテナを使用する。ＭＵ−ＭＩＭＯでは、ＲＢの同じセット上の最高８つのＵＥが、各々、シングルアンテナ送信を使用する。また、ＰＵＳＣＨ  ＤＭＲＳのための３ビットＰＵＳＣＨサイクリックシフトおよびＯＣＣが、直交性を提供する。ＭＵ−ＭＩＭＯ方法は、ＵＥに対して透過的である。ＳＵ−ＭＩＭＯでは、ＣＭ維持制約（CM preserving constraint）（例えば、アンテナごとに１つのレイヤ）をもつプリコーダがある。また、ｅＮＢは、プリコーディングされないＳＲＳに基づいてプリコーダを選択し、ＤＣＩ  ４を使用してレイヤおよびＰＭＩの数をシグナリングする。ＳＵ−ＭＩＭＯ方法は、アンテナポートごとにＳＲＳを使用する。
【００２３】
アップリンク送信の制御
無線システムは、他のＵＥへの過大な干渉を防ぎながら適切なリンク適応を保証するために（アップリンクまたはサイドリンクなどの）ＵＥからの送信を制御する機構を採用する。そのような機構は、例えば、変調、コーディング、および周波数割振りなど、送信電力制御、タイミング整合、および送信パラメータインジケータを含む。ＬＴＥでは、複数のアンテナ要素を装備したＵＥも、送信のために適用されるべきプリコーディング重みによって示され得る。この機構は、受信機側における品質を最大にするプリコーダを決定するためにあらゆるアンテナ要素のための基準信号を送信するＵＥを使用し得る。そのようなプリコーダの使用は、所与の送信のための送信電力の低減を可能にし、従って、当然、システムへの干渉を低減し得る。ＬＴＥでは、アップリンク送信のための基準信号（またはアンテナポート）の最大数は、４である。
【００２４】
ＵＥ自律回転および妨害物検出
ＵＥが、加速度計、重力センサ、ジャイロスコープ、回転ベクトルセンサなどを含む様々な動きセンサを装備することは、一般的でない。加速度計およびジャイロスコープはハードウェアベースであり、他のソフトウェアベースセンサが、２つのハードウェアベースセンサから受信された入力に基づいて、さらなる動きデータを導出することができる。
【００２５】
センサデータは、ＵＥ回転移動に関する詳細な検出情報をＵＥに提供する。回転移動は、ビデオゲームプレイ中のＵＥの傾き動き、ぶれ動き、回転動きまたは揺れ動きなど、直接ユーザ入力の反射であり得る。検出された回転データは、ＵＥが、それ自体のアンテナアレイの配向の角度変化を計算することを可能にする。配向変化は、Ｘ／Ｙ／Ｚ軸を中心とする回転のレートと、各軸に沿ったそれぞれのベクトル成分とを使用して示され得る。
【００２６】
ＵＥの動きセンサは、相対移動から生じるデータを収集することができる。相対移動は、ＵＥが位置する物理的環境の反射を提供することができる。例えば、いくつかの実施形態では、動きセンサは、ＵＥの移動による静止した障害物の接近、または、静止したＵＥに向かう移動している障害物の移動を検出することができる。そのような実施形態では、動きセンサデータは、ＵＥが、来るべき妨害物を検出し、ＵＥに対するそれの速度および方向を含む妨害物の並進移動ベクトルを推定することを可能にする。
【００２７】
例示的な実施形態では、高度動きセンサは、人体と不活性材料とを弁別するように動作し得る。そのような実施形態では、ＵＥは、従って、接近している妨害物を検出するだけでなく、妨害物が人体であるかどうかを区別することをも可能である。この特徴は、ハンドセットデバイスのための比吸収率（ＳＡＲ：Specific Absorption Rate）規制に準拠するために、ＵＥによって使用され得る。
【００２８】
ビーム
「ビーム」という用語は、本明細書では、いくつかの異なるコンテキストにおいて使用され得る。ビームは、送信または受信のためにユーザ機器（ＵＥ）またはネットワーク機器（例えば、送信ポイントまたは受信ポイント）中のアンテナ要素に適用されるプリコーディング重みまたはコフェージング重みのセットを意味するために使用され得る。ビームという用語はまた、そのようなプリコーディング重みの適用から生じるアンテナパターン若しくは放射パターンを指すか、または、プリコーディング重みのセットをアンテナ要素に適用しながら送信される少なくとも１つの基準信号、少なくとも１つの基準信号の生成のために使用される少なくとも１つのシーケンスを指すことがある。利得、指向性、ビーム幅、方位角および高度に関する（基準面に対する）ビーム方向、ピーク対サイドローブ比（peak to side lobe ratio）など、このアンテナパターンに関連付けられたプロパティのセットへの、または、そのようなアンテナパターンに関連付けられた少なくとも１つのアンテナポートへの他の参照がある。さらに、ビームという用語は、アンテナ要素の関連付けられた数および／または構成（例えば、均一線形アレイ、均一矩形アレイ、または他の均一アレイ）を指すことがある。
【００２９】
ビームプロセス
ビームクラスは、ビーム幅またはビーム立体角など、少なくとも１つの特性を共有するビームを指す。より高いビームクラスはより高いレベルの指向性を指し、より低いビームクラスはより低いレベルの指向性を指す。ビームファミリー（beam family）は、同じビームクラスの全てのビームからなる。ビームグループは、より低いビームクラスのビームに関連付けられたビームのセットである。ビームは、例えば、最も近い中心方向をもつビームまたは最も大きい重複若しくは相関をもつビームに基づいて、より低いビームクラスのビームに関連付けられ得る。
【００３０】
図３Ａおよび図３Ｂは、ビームの中心方向３０４、３１４とビームのピーク方向３０６、３１２の間の区別を示す、ビーム振幅対方向３０８、３１６の２つのグラフ３００、３５０である。ビーム方向は、ビームの中心方向３０４、３１４としてまたはビームのピーク方向３０６、３１２として定義され得るビームの方向である。図３Ａおよび図３Ｂはまた、黒い点をもつＥＩＲＰピーク３０２、３１０を示す。ビーム空間は、任意の重みベクトルを有し得る、ビームのセットによってカバーされたエリアまたは立体角である。ビーム空間は、角度のセットなど、パラメータのセット、またはビーム自体によって画定または定義され得る。
【００３１】
いくつかの例示的な実施形態では、ＵＥは、少なくとも１つのビームプロセスに従う、信号、制御およびデータの送信および／または受信のためのプリコーディング重みおよび他のパラメータを設定し得る。ＵＥは、そのようなパラメータについての値を計算または修正し、例えば、ビームプロセス識別情報を使用してビームプロセスを参照する後続の送信または受信においてこれらの値を使用し得る。そのような例示的なプロセスは、それが基準信号の連続送信に依拠せず、あらゆる送信のためのプリコーディングのシグナリングを伴うとは限らないので、プリコーディング重みの決定と関連付けられたオーバーヘッドを大幅に低減する。そのような例示的なプロセスは、２つ以上のビームプロセスの使用による空間多重化、ビームダイバーシティ、または多地点協調など、高度送信方式についての実装複雑さをも低減する。ビームプロセスは、ビームペアリンク（ＢＰＬ：beam pair link）と呼ばれることもある。
【００３２】
ＵＥからの送信では、ビームプロセスは、アンテナ要素に適用されるべきプリコーディング重みまたはコフェージング重みの少なくとも１つのセットを決定し得る。そのような決定は、ビームを形成し得、ここで、各そのようなセットはアンテナポートに対応し得る。送信ビームプロセスは、ダウンリンクタイミング基準信号に関するタイミングアドバンス、または送信電力レベルを決定し得る。ＵＥからの受信では、ビームプロセスは、受信のためにアンテナ要素に適用されるべきプリコーディング重みの少なくとも１つのセットを決定し得る。この場合も、そのような決定は、ビームを形成し得、ここで、各そのようなセットはアンテナポートに対応し得る。ビームプロセスは、自動利得コントローラ（ＡＧＣ）のための設定をも決定し得る。
【００３３】
いくつかの例示的な実施形態では、双方向ビームプロセスが、送信と受信の両方を制御し得、送信および受信のためのプリコーディング重みまたはビームの別個のセットを決定し得る。あるいは、ビームプロセスは、送信のみを制御する（送信、またはＵＬ、ビームプロセス）か、または受信のみを制御し得る（受信、またはＤＬ、ビームプロセス）。
【００３４】
ＵＥは、受信ビームプロセスおよび送信ビームプロセスそれぞれにおいてまたは双方向ビームプロセスにおいて、受信および送信において使用されるビームが同じパターンまたは同様のパターンを有するべきであると決定し得る。そのような決定は、上位レイヤシグナリングに基づき得るか、または、決定は、ＵＥがアクセスしている若しくはＵＥが接続されるシステムの周波数帯域若しくは別のプロパティに、暗黙的に基づき得る。そのような場合、ＵＥは、受信のために決定されたプリコーディング重みに基づいて、送信において使用されるプリコーディング重みを導出し得、またはその逆も同様である。送信ビームプロセスおよび受信ビームプロセスの場合、そのようなプロセスは、次いで、相反性によって関連付けられるものと呼ばれることがある。双方向ビームプロセスの場合、プロセスは、相反であるものと呼ばれることがある。
【００３５】
いくつかの実施形態では、デフォルトビームプロセスが定義され得る。そのようなデフォルトビームプロセスは、特定の構成の不在下でダウンリンク送信若しくはアップリンク送信のために適用され得るか、または、デフォルトビームプロセスは、上位レイヤシグナリングから決定され得る。そのようなデフォルトビームプロセスは、得られる最大ビーム利得若しくは指向性が最小にされるように、またはパターンがほぼ全方向になるように、あらかじめ定義され得る。
【００３６】
また、デフォルトビームプロセスの使用は、例えば事前決定されたルールまたは上位レイヤシグナリングに従って、周波数帯域に依存し得る。例えば、ＰＲＡＣＨ送信がデフォルトビームプロセスを使用するべきであるかどうかは、システム情報によって提供され得るＲＡＣＨ構成の一部として示され得る。そのようなシグナリングは、ネットワークがシステムタイミングおよび経路損失推定のためにＵＥによって使用される信号の送信のために複数のＴＲＰからの同期された送信を使用する場合、有益であり得る。
【００３７】
ＵＥは、各ビームプロセスについて１つのビームを維持し得る。そのようなビームは、最初に選択され、ビーム選択プロシージャの一部として更新され得る。ビーム選択プロシージャは、別のＵＥ（例えば、ネットワークノード）に適用される所与のビームまたはアンテナのための（例えば、所与の送信電力のための受信された信号電力を最大にすることによって）最良の伝搬チャネルを生じるビームを決定する。
【００３８】
図４は、システム４００におけるビーム伝搬の例示的な実施形態を示す。常に、ＵＥ４０２は、空間ダイバーシティまたは多重化、多地点動作およびモビリティをサポートするために複数のビームプロセスで構成され得る。これは図４に示されており、ここで、プロセス１およびプロセス２がＴＲＰ１（４１０）への直接経路４０４および反射された経路４０６に対応し、プロセス３がＴＲＰ２（４１４）への経路４０８に対応する。反射された経路４０６は建築物４１２に反射し、直接経路４０４、４０８は見通し線である。各構成されたビームプロセスは、チャネル経路に沿ってビームフォーミング利得を最大にする特定のアンテナパターンをもつ送信または受信インスタンスに対応するものとみなされ得る。複数のビームプロセスはまた、送信されている情報のタイプおよび関連付けられた信頼性要件に応じて、または、送信がユニキャストであるのかマルチキャストであるのかに応じて、異なるレベルのビームフォーミングをサポートするために使用され得る。
【００３９】
現在ビームは、ビーム選択プロシージャの最新の結果を指す。双方向プロセスでは、現在ビームは、送信と受信の両方に適用され得る。あるいは、別個の現在ビームが、送信および受信のために適用され得る。同様に、ビーム選択プロシージャは、各アンテナポートについて別個のビームを選択し、各アンテナポートについての現在ビームを生じ得る。
【００４０】
いくつかの例示的な実施形態では、ビームプロセスが送信または受信に適用されるとき、適用されたビームは現在ビームに対応する。いくつかの例示的な実施形態では、ＵＥ４０２は、前のビーム選択プロシージャにおいて選択されたビームを維持し得る。例えば、ＵＥ４０２は、あるビームクラスの最新の選択されたビームを、そのようなビームクラス（またはビーム利得）が現在ビームのビームクラス（またはビーム利得）よりも低い場合のみ、維持し得る。ビームプロセスについて複数のビームを維持するとき、各ビームは、ビームクラスに対応し得るビーム識別情報と関連付けられ得る。
【００４１】
いくつかのビーム選択プロシージャは、ダウンリンク基準信号からとられる一連の測定を実行することに基づき得る。そのような基準信号は、本明細書ではビーム選択基準信号と呼ばれる。いくつかの実施形態では、ＵＥ４０２は、そのようなビーム選択基準信号に基づいてＡＧＣの設定を調整し得る。ビームプロセスは、少なくとも１つのそのようなビーム選択基準信号のためのリソースでプロビジョニングされ得る。ビームプロセス基準信号をプロビジョニングするためのリソースは、シーケンスを生成するために使用される少なくとも１つの識別情報パラメータ並びに時間リソースおよび周波数リソースの指示を含み得る。いくつかの例示的な実施形態では、識別情報パラメータはビームプロセスに固有であり得る。
【００４２】
いくつかの例示的なビーム選択プロシージャは、ビームサウンディング基準信号と呼ばれるアップリンク（またはサウンディング）基準信号の少なくとも１つの送信を実行することに基づき得る。ビームプロセスは、少なくとも１つのそのようなビームサウンディング基準信号のためのリソースでプロビジョニングされ得る。ビームサウンディング基準信号をプロビジョニングするためのリソースは、シーケンスを生成するために使用される少なくとも１つの識別情報パラメータ並びに時間リソースおよび周波数リソースの指示を含み得る。いくつかの例示的な実施形態では、識別情報パラメータはビームプロセスに固有であり得る。また、アップリンクのための識別情報パラメータは、ビーム選択基準信号を生成するために使用される識別情報パラメータと同じであり得る。
【００４３】
いくつかの例示的な実施形態では、ビーム選択基準信号のためのリソースとビームサウンディング基準信号のためのリソースとは、動的に割り振られ得る。さらに、これらの基準信号は、利用可能な時間および周波数リソースのサブセット上で割り振られ得る。そのような割振りは、信号の連続ブロードキャスティングを回避するために、および高いオーバーヘッドコストを低減するために行われ得る。例えば、（ランダムアクセス応答またはビーム選択プロシージャをトリガするシグナリングなどの）ダウンリンク制御情報、またはダウンリンク制御情報と上位レイヤシグナリングとの組合せが、リソース割振りを示し得る。
【００４４】
ビーム選択基準信号は、拡散またはスクランブリングのために使用されるパラメータのセットと関連付けられ得る。パラメータは、例えば、拡散ファクタ（spreading factor）、拡散シーケンス、例えばＯＶＳＦコードおよびウォルシュコードのインデックス、並びにスクランブリングシーケンスインデックスを含み得る。
【００４５】
以下で説明されるように、様々なリソースが、データ送信／受信のためのビームプロセスと関連付けられ得る。
【００４６】
データ送信／受信のためのビームプロセスは、例えば、時間ユニット、シンボル、サブフレーム、スロットおよびフレームのブロックを含む、時間領域リソースと関連付けられ得る。ビームプロセスは、例えば、サブキャリア、サブキャリアのブロック、リソースブロック、リソースブロックのセットおよび広帯域キャリアを含む、周波数領域リソースのセットとも関連付けられ得る。ビームプロセスは、例えば、拡散および／またはスクランブリングコード（ＯＶＳＦ／ウォルシュ／ＺＣコード）のタイプ、拡散／スクランブリングの長さ、並びに拡散／スクランブリングシーケンスのインデックスを含む、コード領域リソースと関連付けられ得る。
【００４７】
ビームプロセスと関連付けられた時間／周波数／コードリソースは、静的であり、あるタイプのビームプロセスのために事前構成され得る。例えば、いくつかの実施形態におけるセル固有共通制御チャネルのために使用されるビームプロセスと関連付けられたリソースは、固定され、システム情報ブロードキャスト送信においてブロードキャストされ得る。他の実施形態では、そのようなビームプロセスは、固定されたおよびあらかじめ定義されたリソース割振りを有し得る。データ送信とデータ受信の両方のためのビームプロセスは、物理レイヤ制御シグナリングにおいてダウンリンク制御情報を動的に使用するリソースとも関連付けられ得る。別の実施形態では、ビームプロセスごとのリソース関連付け情報は、ＲＲＣシグナリングなどの上位レイヤシグナリングにおいて搬送され得る。
【００４８】
リソース割振りとのビームプロセスの関連付けは、フレキシブル構成と、複数のＴＲＰに接続されるかまたはダウンリンク／アップリンク／サイドリンクのための階層制御チャネルのために使用されるビームプロセスについての低減されたシグナリングオーバーヘッドを可能にし得る。
【００４９】
ＵＥ４０２は、（双方向プロセスまたは単方向プロセスなどの）２つ以上のビームプロセス（図４参照）を維持するように構成され得る。各そのようなビームプロセスは、異なるビームプロセスのパターンが異なる方向においてアンテナ利得を最大にするように、特定のアンテナパターンについての受信または送信に対応し得る。従って、各ビームプロセスについて、ＵＥ４０２は、プリコーディング重み、Ｔｘ電力、およびタイミングを維持し得る。各ビームプロセスは、異なるネットワーク送信ポイント、例えば、ＴＲＰと関連付けられ得る。複数のＴＲＰとの接続は、多地点動作、ダイバーシティ、シームレスモビリティ、およびフォールバック動作のサポートを可能にし得る。２つ以上のそのようなビームプロセスの維持は、複数のポイントへのおよび／若しくはからの、または、異なるビームを使用する単一のポイントへの送信および／または受信を可能にし得る。
【００５０】
ビームプロセスは、参照する目的で、ビームプロセス識別情報で構成され得る。特定のビームプロセスが、１次ビームプロセスまたはマスタビームプロセスとして指定され得る。ＵＥ４０２が１つのビームプロセスのみを維持する場合、そのようなビームプロセスは１次（またはマスタ）ビームプロセスとして指定され得る。ＵＥ４０２が２つ以上のビームプロセスを維持する場合、ＵＥ４０２は、１次ビームプロセスを指定するためのシグナリングを受信し得る。
【００５１】
制御チャネル監視
いくつかの例示的な実施形態では、ＵＥ４０２は、物理ダウンリンク制御チャネルまたは物理ブロードキャストチャネルなど、ダウンリンク制御チャネルを復号するための少なくとも１つのビームプロセスを決定し得る。ダウンリンク制御チャネルを復号することを試みるとき、ＵＥ４０２は、受信のためのビームプロセスによって決定されたプリコーディング重みを使用し得る。
【００５２】
一実施形態では、ビームプロセスは、ＵＥ４０２がダウンリンク制御情報を復号することを試みるべきリソースをそれから決定する少なくとも１つの制御チャネル構成に関連付けられる。構成は、以下のうちの少なくとも１つを含み得る：
−  少なくとも１つの制御リソースセット、制御サブバンド、または、スロット、ミニスロット若しくはサブフレームなどのスケジューリングユニット内の制御時間シンボル。
−  少なくとも１つの制御リソースセット内の制御チャネルのインスタンスのための少なくとも１つの探索空間（または候補のセット）を導出するために使用される少なくとも１つのパラメータ。  
〇  少なくとも１つの探索空間は、少なくとも、制御チャネル要素、リソース要素グループ、時間シンボルのセット、および／または制御リソースセット内の物理リソースブロックのサブセットに関して定義され得る。  
〇  少なくとも１つのビームプロセスは、共通探索空間と関連付けられ得る。  
−  スロット（またはミニスロット）のユニット中の期間およびオフセットなど、ビームプロセスを使用して送信されたダウンリンク制御情報が存在し得る可能なスケジューリングユニット（例えば、スロット）のサブセットを決定するために使用される少なくとも１つのパラメータ。いくつかの実施形態では、ビームプロセスに関連付けられたアクティビティ状態または優先度に基づいて選択され得る２つ以上の構成されたそのようなサブセットがあり得る。  
−  少なくとも制御チャネルを復号する目的で使用される、シーケンスなど、基準信号の少なくとも１つのプロパティを決定するために使用される少なくとも１つのパラメータ。
【００５３】
構成は、少なくとも物理ブロードキャストチャネルからの専用シグナリングおよび／またはシステム情報など、ＲＲＣシグナリングから取得され得る。
【００５４】
独立した構成および例示的な使用シナリオ
各ビームプロセスは、最大フレキシビリティのために、独立した制御チャネル構成で構成され得るか、またはそれと関連付けられ得る。例えば、制御サブバンドまたはリソースセットは、異なるビームプロセス間で別様に構成され得、これは、それらが、干渉をより良く協調させるために制御チャネルについて異なるリソースを使用する地理的に分離されたＴＲＰに関連付けられるシナリオにおいて有用であり得る。
【００５５】
別の例では、スロット内の時間シンボルが別様に構成され得、これは、アップリンクデータ送信およびダウンリンクデータ送信が異なるＴＲＰを伴うシナリオ（例えば、低いおよび高い送信電力ＴＲＰをもつｈｅｔｎｅｔシナリオ）において有用であり得る。そのようなシナリオでは、ダウンリンク割当てが、第１のビームプロセスを使用して第１のＴＲＰから受信され得、アップリンク許可が、第２のビームプロセスを使用して第２のＴＲＰから受信され得る。
【００５６】
いくつかの実施形態では、シグナリングオーバーヘッドを低減するために、制御チャネル構成の少なくとも１つのパラメータは、全てのビームプロセスに共通であり得る。
【００５７】
ビームプロセス間の優先度付け
いくつかの状況では、異なるビームプロセスによって使用されるリソース間の重複があり得、その結果、少なくとも１つのそのようなビームプロセスを使用する受信は実現可能でない。例えば、これは、ＵＥ４０２が所与の時間において多くともＮ個のビームプロセスを使用して受信することが可能であるにすぎない場合に起こり得（ここで、Ｎは、例えば、ＵＥ受信機実装におけるＲＦチェーンの数に対応し得る）、所与のスロット中のＮ個超のビームプロセスの制御チャネル候補間の時間領域における重複がある。別の例では、第１のビームプロセスのための制御チャネル候補は、第２のビームプロセスのためのスケジュールされた送信と重複し得る。そのような状況が起こったとき、ＵＥ４０２は、以下の規準のうちの少なくとも１つに基づいてビームプロセス間の優先度付けルールを適用し得る：
−  各ビームプロセスに関連付けられた構成された優先度。例えば、ＵＥ４０２は、１次ビームプロセスのために、または、ビームプロセスに関連付けられたインデックスに基づいて、制御チャネルの受信に優先度を付け得る（例えば、より低いインデックスがより高い優先度を有する）。  
−  各ビームプロセスに関連付けられたアクティビティ状態。例えば、「アクティブ」状態におけるビームプロセスが「非アクティブ」状態におけるビームプロセスに勝る優先度を付けられ得、あるいは、アクティブ状態におけるビームプロセスについての品質が劣化している場合、「非アクティブ」状態におけるビームプロセスがフォールバック機構を提供するように優先度を付けられ得る。  
−  制御チャネルがビームプロセスについて監視されるときの、スケジューリングユニットのサブセットについての周期性。例えば、優先度は、最も大きい周期性を有するビームプロセスに与えられ得る。  
−  各ビームプロセスについての最新の報告されたチャネル状態指示。例えば、優先度は、チャネル品質指示が最も高かったビームプロセスに与えられ得る。  
−  ビームプロセスに関連付けられた送信のタイプ。例えば、第１のビームプロセスのためのスケジュールされた送信が第２のビームプロセスのための制御チャネル候補に勝る優先度を有し得る。別の例では、そのようなスケジュールされた送信は、前のスロット中でスケジュールされていることがあり、現在のスロットの制御リソースセットと重複し得る。
【００５８】
１つのルールが細分化を可能にしないインスタンスを扱うために、複数のルールが使用され得る。例えば、ＵＥ４０２は、最初に、アクティビティ状態に基づいて優先度を付け得、２つ以上のプロセスが同じアクティビティ状態を有する場合、構成された優先度に基づくルールが使用され得る。あるいは、ルールの他の条件付き順序付けが利用され得る。
【００５９】
アンテナポートとの関係
いくつかの例示的な実施形態では、ビームプロセスとアンテナポートまたはアンテナポートのセットとの間の固定されたまたは半静的な関連付けが確立され得る。ＵＥ４０２は、アンテナポート上で送信または受信するように構成されたときはいつでも、対応するビームプロセスのプリコーディング重みを適用する。ビームプロセスと関連付けられた（１つまたは複数の）アンテナポートのセットが、互いに空間的に擬似コロケートされ得る。例えば、復調基準がその上で送信されるアンテナポートとビーム選択のために使用される基準信号（ＣＳＩ−ＲＳまたはビーム選択ＲＳなど）がビームプロセスのためにその上で送信されるアンテナポートとの間の関連付けが定義される場合、関連付けは、そのようなアンテナポートが空間的に擬似コロケートされることを示し得る。従って、アンテナポートを使用する受信のためのビームプロセスの暗黙的または明示的指示は、このアンテナポートがビームプロセスまたはビームペアリンクの基準信号（例えば、ＣＳＩ−ＲＳ）と空間的に擬似コロケートされるという指示と等価であり得る。あるいは、いくつかの例示的な実施形態では、ビームプロセスとアンテナポートとの間の関連付けは動的に修正され得る。ＵＥ４０２は、アンテナポート上で送信または受信するための適用可能なビームプロセスを決定し得る。
【００６０】
例示的な一実施形態では、適用可能なビームプロセスは、物理レイヤシグナリングまたは上位レイヤシグナリングから受信された明示的指示から決定され得る。例えば、ＵＥ４０２は、アップリンク（またはサイドリンク）物理チャネル上でアップリンク（またはサイドリンク）送信（許可）を示すダウンリンク制御情報（ＤＣＩ）を受信し得、そのような許可は、各アンテナポート上での送信のための適用可能なビームプロセスの指示を含んでいることがある。そのようなビームプロセスは、ＤＣＩを受信するために使用されるビームプロセスとは異なり得る。別の例示的な実施形態では、ＵＥ４０２は、ダウンリンク物理チャネルからの受信のためのダウンリンク割当てを示すダウンリンク制御情報を受信し得、そのような割当ては、各アンテナポート上での受信のための適用可能なビームプロセスの指示を含んでいることがある。また別の例示的な実施形態では、ＵＥ４０２は、アップリンク物理チャネル、サイドリンク物理チャネルまたはダウンリンク物理チャネル上での後続の送信または受信のための、各アンテナポート上での送信または受信のための適用可能なビームプロセスを示すＭＡＣ制御要素またはＲＲＣメッセージを受信し得る。
【００６１】
別の例示的な実施形態では、適用可能なビームプロセスは、関連付けられた送信を復号するために使用されるビームプロセスに基づいて暗黙的に決定され得る。例えば、ダウンリンク送信のための適用可能なビームプロセスは、ダウンリンク物理制御チャネルからのこのダウンリンク送信を示すＤＣＩを復号するために使用されるビームプロセスに対応し得る。いくつかの場合には、ダウンリンク送信は、ダウンリンク物理データチャネル、第２のダウンリンク物理制御チャネルまたはＤＭ−ＲＳ若しくはＣＳＩ−ＲＳなどのダウンリンク信号であり得る。別の例では、アップリンク送信（例えば、アップリンク物理チャネルまたは信号）のための適用可能なビームプロセスは、このアップリンク送信を示すかまたはトリガするＤＣＩを復号するために使用されるビームプロセスに対応し得る。特に、ダウンリンクデータ送信に関連付けられたＨＡＲＱ−ＡＣＫフィードバックを含んでいるアップリンク制御チャネルのための適用可能なビームプロセスは、このダウンリンクデータの送信を示すＤＣＩを復号するために使用されるビームプロセスに対応し得、および／または、ＣＳＩ報告を含んでいるアップリンク制御（またはデータ）チャネルのための適用可能なビームプロセスは、そこから報告が導出される、（１つまたは複数の）基準信号、例えば、ＣＳＩ−ＲＳの送信を示すＤＣＩを復号するために使用されるビームプロセスに対応し得る。別の例では、ダウンリンク送信のためのＨＡＲＱ−ＡＣＫを含んでいるアップリンク制御チャネルのための適用可能なビームプロセスは、ダウンリンク送信を復号するために使用されるビームプロセスに対応し得る。別の例では、ランダムアクセス応答のための適用可能なビームプロセスは、ランダムアクセスプリアンブルを送信するために使用されるビームプロセスに対応し得る。
【００６２】
上記の例では、ビームプロセス間の対応は、両方のプロセスが（例えば、双方向ビームプロセスについて）同等であること、または、両方のビームプロセスが相反性によって関連付けられることであり得る。
【００６３】
あるいは、いくつかの実施形態では、対応は、物理レイヤシグナリングまたは上位レイヤシグナリングによって構成され得る。例えば、この送信を示すＤＣＩを復号するためにあるビームプロセスが使用されるときのＵＬデータ送信のための適用可能なビームプロセスは、ＲＲＣシグナリングによって構成され得る。そのような実施形態は、異なるネットワークＴＲＰからの送信および受信を可能にし得、これは、ダウンリンク送信のための最良のノードが高電力ＴＲＰであり得、アップリンク送信のための最良のノードが（より近い）低電力ＴＲＰであり得る異種展開において有利であり得る。別の例では、ランダムアクセス応答のための適用可能なビームプロセスは、デフォルトビームプロセスに対応するように構成され得る（例えば、全方向ビームは、ＲＡＣＨ構成の一部としてそのように構成される）。そのような構成は、複数のＴＲＰからのランダムアクセス応答の同期された送信を可能にし得る。
【００６４】
別の例では、対応は、ＭＡＣシグナリングまたは物理レイヤシグナリングなどによって、より動的に取得され得る。そのような実施形態は、一方における制御またはデータ受信、および他方におけるデータ送信のための（例えば、異なる方向におけるビームをもつ）異なるビームプロセスの使用を可能にし得る。これは、あるビームプロセスのための構成された最大送信電力が別のビームプロセスのためのものよりも低く、その結果、ダウンリンク受信のための最良のビームプロセスがアップリンク送信のための最良の性能を可能にするビームでない場合、有益であり得る。そのような状況は、例えば、一部のビームプロセスに、他のビームプロセスよりも多くの影響を及ぼすＳＡＲ要件により、起こり得る。そのような場合、例えば、ＵＥ４０２は、少なくとも１つのビームプロセスのための電力管理最大電力低減（Ｐ−ＭＰＲ：power management maximum power reduction）の変化によってトリガされた（１つまたは複数の）電力ヘッドルーム報告の送信によって、異なる構成された最大送信電力をネットワークに通知し得る。
【００６５】
別の実施形態では、適用可能なビームプロセスは、送信によって占有される時間リソースおよび／または周波数リソースに基づいて暗黙的に決定され得る。リソースとビームプロセスとの間の対応は、上位レイヤシグナリングによって提供され得る。
【００６６】
別の例示的な実施形態では、適用可能なビームプロセスは、送信または受信が行われる物理チャネルまたは信号タイプに基づいて決定され得る。
【００６７】
別の例示的な実施形態では、適用可能なビームプロセスは、送信が制御情報（例えば、アップリンクまたはサイドリンク）からなるのか上位レイヤデータからなるのか、または、送信が（例えば、サイドリンク送信について）マルチキャストであるのかユニキャストであるのかなど、送信のタイプおよび／またはコンテンツに基づいて決定され得る。例えば、スケジューリング要求の送信が、１次ビームプロセスなど、特定のビームプロセスを使用して実行され得る。
【００６８】
ビームプロセスについて複数のビームを維持するとき、どのビーム識別情報が特定の送信に適用されるかを決定するために、上記で説明されたものと同様の実施形態が使用され得る。いくつかの実施形態では、復調基準信号の生成のために使用されるシーケンスは、ビームプロセスに固有であり得る。そのようなシーケンスは、ビーム選択基準信号またはビームサウンディング基準信号のためのシーケンスの生成のために使用される識別情報パラメータに一致する識別情報パラメータを使用して生成され得る。
【００６９】
ビーム対応決定
いくつかの実施形態では、ＵＥ４０２は、送信ビームと受信ビームとの少なくとも１つのペアについて、送信のために使用されるビーム（送信ビームまたはアップリンクビーム）と受信のために使用されるビーム（受信ビームまたはダウンリンクビーム）との間の対応を決定し得る。そのような対応が決定された場合、ＵＥ４０２は、ＵＥ４０２からの第１の送信のために使用される送信ビームが第２の送信を受信するために使用される受信ビームに対応する送信ビームであると決定し得る。そのような受信ビームは、第２の送信を受信するために使用されるとき、信号強度または品質を最大にする受信ビームに対応し得る。以下の段落は、そのような実施形態について説明する。
【００７０】
事前決定されたまたは静的ビーム対応
一実施形態では、ビーム対応が、メモリに記憶されたマッピングに従って、全ての送信ビームおよび受信ビームの少なくともサブセットについて事前決定され得る。マッピングは、較正またはテストプロシージャの一部として実行され得る。マッピングは、送信ビームとそれの対応する受信ビームとの間の放射パターン（または、利得が最大にされる方向など、そのプロパティ）の差が最小にされるようなものであり得る。マッピングは、送信ビームおよび受信ビームのために使用されるプリコーディング重みが同等のまたはほぼ同じ値を有するようなものでもあり得る。
【００７１】
動的ビーム対応状態
いくつかの実施形態では、送信ビームと受信ビームとの間のビーム対応は、ビーム対応の決定が動的であるように、実装条件（例えば、ＴＸ  ＲＦ経路とＲＸ  ＲＦ経路との差）および／または動作条件（例えば、温度変化、基準クロック位相ドリフト）により、一貫しては存在しないことがある。
【００７２】
動的ビーム対応状態は、状態内（in-state）および状態外（out-of-state）で示され得る。ビーム対応状態は、個々のビーム、ビームタイプ、ビームクラス、ビームグループ、若しくはアンテナパネルに、または、ビーム、ビームタイプ、ビームクラス、ビームグループ若しくはアンテナパネルのセットに固有であり得る。ＵＥ４０２は、ビーム対応更新期間で構成され得、更新構成に従って周期的にビーム対応を評価および更新し得る。ＵＥ４０２は、ネットワークからＬ１制御シグナリングまたは上位レイヤ（ＭＡＣ、ＲＲＣ）シグナリングを受信したことに応答して、ビーム対応状態更新を実行し得る。別の実施形態では、ＵＥ４０２は、以下のプロシージャのうちの１つまたは複数を含み得る、あらかじめ定義されたイベント時にビーム対応更新をトリガし得る：
−  新しいビーム、ビームタイプ、ビームクラス、ビームグループ、またはアンテナパネルの再構成、
−  ＲＡＣＨプロシージャ中にまたはその終了時に、例えば、Ｍｓｇ１送信および／またはＭｓｇ３送信に更新プロシージャステップを組み込むことによって、または
−  ＵＬビーム管理プロシージャの構成。ネットワークは、ＵＬビーム管理がビーム対応状態に応じて構成され得るかどうかを決定し得る。ネットワークは、ビーム対応状態が状態内である場合、いかなるそのようなプロシージャ、例えば、Ｕ１、Ｕ２、またはＵ３も構成しないことがある。
【００７３】
一実施形態では、ＵＥ４０２は、送信ビーム放射パターンおよび対応する受信ビーム放射パターンを評価することと、ピークローブ方向、３ｄＢメインローブ幅、サイドローブ方向、サイドローブ幅、サイドローブ抑制比など、パターンパラメータを比較し／相関させることとによって、ビーム対応状態を更新し得る。比較および評価規準は、あらかじめ定義され得る。
【００７４】
別の実施形態では、ＵＥ４０２は、ビーム対応更新プロシージャを使用してビーム対応を更新し得る。一実施形態では、ＵＥ４０２は、以下の行為を実行し得る：
−  アップリンク送信ビームのセットに基づくアップリンクビームスイーピングを使用して、ビーム固有基準信号、例えば、ＳＲＳを送信する、
−  アップリンク送信ビームに対応する全ての受信ビーム中のダウンリンク制御情報を監視する、ここで、ダウンリンク制御情報は、最良のアップリンク送信ビーム識別情報、例えば、ビームインデックスまたはＳＲＳリソース指示（ＳＲＩ）を含み得る、
−  （例えば、ＵＥ４０２が２つのダウンリンクビームの中央に位置するとき）１つの受信ビームまたは複数の受信ビーム中のダウンリンク制御情報を受信し、最良の受信ビームが、ダウンリンク制御情報中で受信されたアップリンク送信ビーム識別情報に対応し得るかどうかを検証する、
−  検証結果が一致である場合、ビーム対応状態内を決定し、検証結果が一致でない場合、ビーム対応状態外を決定する、
−  アップリンク制御シグナリングを使用してビーム対応状態を報告する。
【００７５】
別の実施形態では、ＵＥ４０２は、以下の行為を実行し得る：
−  ビーム固有基準信号を使用して、例えば、最良のダウンリンクビームに対応する（例えば、ＳＳブロックに基づく）アップリンクビーム中のＳＲＳを介して、第１の送信において送信する、ここで、ＳＲＳリソース／シーケンスが最良のＳＳブロックの指示を搬送し得る、
−  第１の送信において使用されるものを含むビーム固有基準信号、例えば、ＳＲＳをもつアップリンク送信ビームのセットに基づくアップリンクビームスイーピングを使用して、第２の送信を送信する、
−  ネットワークによるダウンリンクＬ１制御シグナリング中でビーム対応状態内または状態外指示を受信する。
【００７６】
この実施形態では、ネットワークは、第１のＳＲＳが、第２の送信において受信された最良のＳＲＳと同じあるかどうかを検証することによって、ビーム対応状態を決定し得る。ネットワークは、第１のＵＥ送信と第２のＵＥ送信の両方において、示された最良のＳＳブロックに対応する受信ビームを使用し得ることに留意されたい。
【００７７】
ＵＥ４０２は、ＵＥビーム対応状態が状態外であるとき、ＵＬビーム管理プロシージャ（Ｕ１／Ｕ２／Ｕ３）を実行するように構成され得る。この実施形態では、ＵＥ４０２は、アップリンクビームとダウンリンクビームとの間の明示的関連付けで構成され得る。
【００７８】
ＵＥ４０２は、ＵＥビーム対応状態が状態内であるとき、ＵＬビーム管理プロシージャなしにダウンリンクビームに基づいてアップリンクビームを選択するようにとの指示を、Ｌ１制御シグナリングまたは上位レイヤ専用シグナリング中で受信し得る。この実施形態では、ＵＥ４０２は、暗黙的アップリンクおよびダウンリンクビーム関連付けを維持し得る。
【００７９】
別の実施形態では、ＵＥ４０２は、ネットワークからの指示に基づいてビーム対応を決定し得る。そのような実施形態は、例えば、ビーム対応がネットワーク側においてすでに存在する場合、適用可能であり得る。ＵＥ４０２は、最初に、少なくとも１つのビーム（例えば、ビームスイープ）のためのビーム固有基準信号（例えば、ＳＲＳ）のシーケンスを送信し得る。そのような送信は、物理レイヤまたは上位レイヤにおけるネットワークからのシグナリングによってトリガされ得る。ＵＥ４０２は、その後、あるダウンリンク送信ビームに対応するＣＳＩ−ＲＳの指示（またはＣＳＩ−ＲＳインジケータ）とともに、例えば、ＳＲＳインジケータを使用して、送信ビームの指示を受信し得る。そのような指示は、物理レイヤシグナリング（ダウンリンク制御情報）、ＭＡＣシグナリング（ＭＡＣ制御要素）、またはＲＲＣメッセージの同じインスタンス中に含まれていることがある。指示は、ＣＳＩ−ＲＳがある時間において送信されるという指示と組み合わせられ得る。示されたＣＳＩ−ＲＳを受信した場合、ＵＥ４０２は、信号品質を最大にする受信ビームを決定し得る。ＵＥ４０２は、この受信ビームと、ネットワークによって示されたＳＲＳの送信のために使用される送信ビームとの間のビーム対応が存在すると決定し得る。
【００８０】
電力制御−開ループ構成要素
いくつかの例示的な実施形態では、送信電力は、送信に適用可能なビームプロセスに依存し得る。
【００８１】
送信電力は、ダウンリンク基準信号上でとられる経路損失測定の関数であり得る。そのようなダウンリンク基準信号は、ビーム経路損失基準信号と呼ばれることがある。そのようなビーム経路損失基準信号のためのリソースは、各ビームプロセスについて独立して割り振られ得る。いくつかの例示的な実施形態では、ビーム経路損失基準信号はビーム選択基準信号に一致し得る。経路損失測定ＰＬが、現在ビームを適用したときの基準送信電力Ｐrefと受信された信号電力Ｐrとの間の差（ｄＢ単位）として定義され得る。
【００８２】
測定のために使用されるビームは、少なくとも、相反する双方向ビームプロセスのための受信ビームであり得るか、または、相反性によって送信ビームプロセスに関連付けられた受信ビームプロセスに対応し得る。あるいは、測定のために使用されるビームは、全方向ビームまたはデフォルトビームなど、あらかじめ定義されたビームであり得る。あるいは、ＵＥは、推定された経路損失を最小にするかまたは受信された信号を最大にする受信ビームまたはビームプロセスを選択し得る。
【００８３】
あるいは、経路損失測定のために使用される受信ビームは、シグナリングから決定され得る。例えば、受信ビーム、またはＵＥ４０２がデフォルトビームプロセスを使用するべきであるのかビームプロセスを選択するべきであるのかが、システム情報からシグナリングされ得る。そのような実施形態は、例えば、ＰＲＡＣＨ送信のための経路損失推定値および送信電力を決定するために使用され得る。
【００８４】
いくつかの例示的な実施形態では、経路損失測定は、測定をとるために使用されるビームの利得または指向性Ｇbによって調整され得る。式として表されるように、経路損失測定ＰＬは、次のように計算され得る：
ＰＬ＝Ｐref−Ｐr＋Ｇb、
上式で、ＰrefおよびＰrはｄＢｍ単位であり得、ＰＬおよびＧbはｄＢ単位であり得る。この調整は、経路損失測定をとるために使用されるビームと後続の送信において使用されるビームとの間の利得（または指向性）の差の適切な補償を可能にし得る。この後者の場合、利得Ｇb’をもつビームのための送信電力が、（ＰＬ−Ｇb’）の関数として設定され得、ここで、ＰＬおよびＧb’はｄＢ単位である。いくつかの実施形態では、経路損失測定ＰＬは、調整されないことがあり、（Ｐref−Ｐr）に等しくなり得るが、送信電力は、ＰＬ＋Ｇb−Ｇrの関数として設定され得る。
【００８５】
電力制御−閉ループ構成要素
ＵＥ４０２は、いくつかの送信に適用される電力の調整を実行するためのシグナリング（送信電力制御（ＴＰＣ）コマンド）を受信し得る。そのような調整は、ビームプロセスごとに累積的であり（特定のビームプロセスが適用される全ての後続の送信に適用され）得る。ビームプロセスは、ＴＰＣコマンドとともに明示的に識別されるか、または、ＴＰＣコマンドが適用される送信に対応するビームプロセスに暗黙的に基づき得る。また、調整ステップの値が、各ビームプロセスについて独立して構成され得る。
【００８６】
電力制御−構成された最大電力（Ｐcmax）
いくつかの実施形態では、ＵＥ４０２は、少なくとも最大電力低減パラメータ（例えばＭＰＲ、Ａ−ＭＰＲまたはＰ−ＭＰＲ）に基づいて、各ビームプロセスについての構成された最大電力（例えばＰcmax）を適用し得、ここで、Ｐcmaxと最大電力低減パラメータとは、ビームプロセス間で異なり得る。例えば、これは、比吸収率（ＳＡＲ）からのビーム固有電力管理ＭＰＲ（Ｐ−ＭＰＲ）値に起因し得る。
【００８７】
構成された最大利得または構成された最大ＥＩＲＰ
いくつかの実施形態では、ＵＥ４０２は、アンテナ構成を考慮して最大可能利得に対するビームの利得を限定するように動作し得る。そのような状況は、例えば、ＵＥ４０２が比吸収率要件を満たすように動作しているとき、起こり得る。
【００８８】
構成パラメータは、例えば、ＥＩＲＰ、最大利得（Ｇmax）および最大指向性を含み得る。パラメータは、ＵＥアンテナアレイビームフォーミング構成および能力に関するＵＥ４０２能力報告に基づき得る。ｅＮＢは、上位レイヤシグナリングを使用してパラメータを構成し得る。別のソリューションでは、ＵＥ４０２は、最大利得または指向性を自律的に設定し得る。
【００８９】
ＵＥ４０２は、ビームプロセスごとにＰcmaxと最大利得パラメータの両方を使用してＥＩＲＰを最大にするように動作し得る。Ｇmaxパラメータは、ビームプロセスと関連付けられた物理チャネルによって影響を及ぼされ得る。例えば、物理レイヤアップリンク制御チャネル中のアップリンク制御情報（ＵＣＩ）送信のためのビームプロセスが、より低いＧmaxを指定され得る。従って、ＵＥは、広いビーム幅をもつビームプロセスにおいてＵＣＩを送信し得る。利点は、ＵＣＩ送信の信頼性およびロバストネスを増加させることであり得る。
【００９０】
ＵＥは、ビームプロセスごとに、アクティブに適用されたビームフォーミング利得と構成された最大利得との間のオフセットを報告し得る。差は、例えばＳＡＲによって引き起こされるＭＰＲによって引き起こされ得る。ｅＮＢは、Ｇmaxオフセットを受信し、関連付けられたビームプロセスのためのアップリンクビーム再選択プロシージャをトリガし得る。そのような実施形態は、ｅＮＢが、ビームプロセスのために使用されるビーム幅およびビームフォーミング利得に基づいてアップリンク受信をフレキシブルに調整することを可能にし得る。
【００９１】
異なるＴＲＰに接続された同時ビームプロセスの電力割振り
ＵＥ４０２は、モビリティイベントにおける異なるＴＲＰと関連付け、それに送信すべきビームプロセスを追加し得る。関連付けは、新しいＴＲＰに固有のアップリンクビーム電力制御情報を含み得る。ＵＥ４０２は、アップリンクＳＩＮＲターゲットとＴＲＰ基準信号電力とを含む新しいＴＲＰの電力制御構成パラメータを受信し得る。ＵＥ４０２はまた、波形およびヌメロロジー（numerology）の新しいＴＲＰの構成を受信し、それに応じて、必要とされる最初の電力および電力ステップを導出し得る。
【００９２】
ＵＥは、関連付けられたビームプロセスのために算出された電力ヘッドルーム情報を新しいＴＲＰに提供し得る。算出は、ＵＥ４０２によって維持される全てのアクティブビームプロセスの全ての同時送信の送信を考慮し得る。従って、電力ヘッドルームは、ビームプロセス識別情報およびそれの対応する電力ヘッドルーム値のためのフィールドを含み得る。
【００９３】
ＴＲＰが同期される実施形態では、送信は、同じ周波数リソース上でコード多重化され得る。
【００９４】
別の実施形態では、ＵＥ４０２は、電力送信能力を可能にし、最大にするために、ＴＲＰが同期されないかまたは周波数間若しくは帯域間上で展開される場合、１つのＴＲＰリンク上のギャップで構成され得る。これは、同期されないＴＲＰにおけるモビリティイベント中に有用であり得る（例えばＦＤＤの場合）。
【００９５】
ギャップは、例えば、（１つまたは複数の）現在リンクの品質に基づいて、ＵＥシグナリンイベント時にネットワークによって構成され得る。これらのギャップパターンは、異なる長さを有し、ＵＥ４０２に測定を報告させることを目標として有限持続時間を有し得、次いで、ネットワークは、どのＴＲＰを使用すべきかを決定し得、構成メッセージ、またはＵＥが、スケジューリングのためにいくつかのＴＲＰ上のいくつかの制御チャネルを監視することを開始することができるという指示、または適切なパラメータを用いたＵＬ送信開始ポイントについての指示を送り得る。
【００９６】
ＵＥ４０２は、それが２つ以上のトランシーバチェーンの能力を有する場合、構成されたギャップに依拠しないことがある。この特定の場合、同期または非同期受信／送信が利用可能であり得、ネットワークシグナリングが、ＵＥ４０２から測定報告を受信した後に（１つまたは複数の）ターゲットＴＲＰを示すターゲットＴＲＰ測定指示に低減される。ターゲットＴＲＰ測定構成は、ＵＥ４０２によってトリガされた報告の品質しきい値に基づくトリガされたメッセージであり得る。この状況では、出力電力は、キャリアアグリゲーションまたはデュアル接続性Ｐcmax定義と同様のやり方で、これらのＵＬ送信の間で共有される。しかしながら、電力共有が良好な結果にならないであろう展開固有状況が起こった場合、ネットワークは、ターゲットＴＲＰとの同時接続を可能にするためにサービングＴＲＰ上でギャップを構成し得る。この場合、ギャップ決定は、経路損失推定値が、サービングＴＲＰを維持しながらターゲットＴＲＰ  ＵＬ上の可能なスケーリングを示し得る、ＵＥ４０２からの報告された測定に基づき得る。
【００９７】
ビームプロセスのための送信タイミング
いくつかの例示的な実施形態では、送信のタイミングは、適用可能なビームプロセスに依存し得る。ＵＥ４０２は、ビームタイミング基準信号と呼ばれることがある、ダウンリンク受信された信号のタイミングに基づいて送信のタイミングを決定し得る。そのようなビームタイミング基準信号のためのリソースは、各ビームプロセスについて独立してプロビジョニングされ得る。いくつかの例示的な実施形態では、ビームタイミング基準信号はビーム選択基準信号と同等であり得る。
【００９８】
ＵＥ４０２は、ビームタイミング基準信号のタイミングからの適用されるべきタイミングアドバンスまたは調整に基づいて、送信のタイミングを決定し得る。そのようなタイミングアドバンスまたは調整は、タイミング調整コマンドなど、物理レイヤシグナリング、ＭＡＣシグナリング、またはＲＲＣシグナリングから受信され得る。タイミング調整は、ビームプロセスに固有であり、特定のビームプロセスが適用される全ての後続の送信に適用され得る。ビームプロセスは、タイミング調整コマンドとともに明示的に識別されるか、または、タイミング調整コマンドが適用される送信に対応するビームプロセスに暗黙的に基づき得る。
【００９９】
いくつかの例示的な実施形態では、時間整合タイマーは、場合によってはこのビームプロセスに固有の値で、各ビームプロセスについて構成され得る。ビームプロセスのための時間整合タイマーは、このビームプロセスについてタイミング調整コマンドが受信されるたびに再開され得る。ＵＥ４０２は、このビームプロセスのための時間整合タイマーが動作している（満了されていない）場合のみビームプロセスに従って送信を実行することを可能にされ得る。
【０１００】
擬似コロケーション仮定
いくつかの例示的な実施形態では、ビームプロセスを使用してダウンリンク物理チャネルを受信するＵＥ４０２は、ビームプロセスに関連付けられた基準信号が送信されるアンテナポートが、（タイミング、遅延拡散、またはドップラー拡散などの）少なくとも１つの長期チャネルプロパティについて、ダウンリンク物理チャネルが送信される（１つまたは複数の）アンテナポートと擬似コロケートされると仮定し得る。そのような基準信号は、ビームプロセスに関連付けられたビーム選択基準信号に対応し得る。
【０１０１】
ビームプロセスごとのチャネル状態情報
いくつかの例示的な実施形態では、ＵＥ４０２は、ビームプロセスごとのチャネル状態情報を報告し得る。ＵＥ４０２は、少なくとも１つのチャネル状態情報基準信号（ＣＳＩ−ＲＳ）および少なくとも１つの干渉測定（ＩＭ）リソース上で測定を実行し得る。そのような信号のためのリソースは、各ビームプロセスについて独立してプロビジョニングされ得る。測定は、特定のビームプロセスの現在ビームを使用して実行され得る。ダウンリンク制御情報のインスタンスなど、物理レイヤシグナリングが、ビームプロセスおよび場合によっては現在ビームを識別し得る。そのようなダウンリンク制御情報は、以下の情報、すなわち、ＣＳＩ測定を実行するようにとの要求、測定されたＣＳＩを報告するようにとの要求、ＣＳＩ−ＲＳのためのリソースの割振り、または干渉測定のためのリソースの割振りのうちのいずれかを含んでいることがある。
【０１０２】
ビームプロセス同期状態
いくつかの例示的な実施形態では、同期状態はビームプロセスに関連付けられ得る。ＵＥ４０２は、同期タイマーが動作しているおよび／または最新のビーム選択プロシージャが成功裡に完了した場合、ビームプロセスが「同期された」状態にあると決定し得る。同期タイマーは、少なくとも１つの現在ビームを生じるビームプロセスのビーム選択プロシージャの成功した完了時に再開され得る。そのようなタイマーの持続時間は、上位レイヤによってまたはプロセスごとに、あらかじめ定義または構成され得る。ビーム選択プロシージャが開始し、失敗したことをＵＥ４０２が検出した場合、ＵＥは、同期タイマーを停止し得る。
【０１０３】
ＵＥ４０２が少なくとも１つのビームについてのレベル若しくは品質を上回る信号を測定した場合、または、ＵＥ４０２が、ビームサウンディング基準信号が成功裡に受信されたという指示をネットワークから受信した場合、ＵＥ４０２は、ビーム選択プロシージャが成功したと決定し得る。ＵＥ４０２は、ビームプロセスが「同期された」状態にある場合のみ、または、適用可能な同期タイマーが動作している間、ビームプロセスを使用する送信を実行することを可能にされ得る。
【０１０４】
ビームプロセスプロシージャ
ビーム作成プロシージャ
以下の段落で説明されるプロシージャは、最初の（または１次）ビームプロセスを作成すること、および／または最初のビームプロセスを同期させること、追加のビームプロセスを作成すること、またはビームプロセスを削除することを行うために使用され得る。
【０１０５】
ＵＥ４０２は、最初にビームプロセスを有しないか、または、同期された状態にないデフォルトビームプロセスを有し得る。そのような状況は、例えば、システムに最初にアクセスする前にまたはビームプロセスが同期された状態にないと決定した後に起こり得る。最初のビームプロセスの作成（またはデフォルトビームプロセスの同期）は、最初のシステムアクセスの一部として行われ得る。
【０１０６】
例示的な実施形態では、ＵＥ４０２は、シグネチャシーケンスおよび／またはモビリティ基準信号上でとられる測定に基づいて、並びにブロードキャストされ得るランダムアクセス構成に基づいて、ランダムアクセスプロシージャを開始し得る。ＵＥ４０２は、プリアンブルグループのうちのプリアンブルなど、信号をランダムに選択し得る。いくつかの例示的な実施形態では、プリアンブルグループは、ＵＥ４０２のビームフォーミング能力に依存し得る。そのようなプリアンブルの送信は、極めて広いビームまたはほぼ全方向ビームなど、デフォルトビームを使用し得る。あるいは、プリアンブルの送信は、ＵＥ４０２が利用可能な信号上でとられる測定についてビームを決定し得る場合、そのビームを使用し得る。
【０１０７】
ＵＥ４０２は、少なくとも１つのランダムアクセス応答を受信し、場合によっては、そのような受信が時間ウィンドウ内に行われない場合、より高い電力レベルにおいてプリアンブルを再送信することを試み得る。ＵＥ４０２は、最終的に、少なくとも１つのランダムアクセス応答を復号し、１つのそのような応答を選択し得る。各そのような応答は、ビームプロセスに適用可能な少なくとも構成およびリソースを含んでいることがある。そのような応答は、以下の項目、すなわち、ビーム選択基準信号のためのリソース、ビームサウンディング基準信号のためのリソース、タイミングアドバンス調整、ビームプロセス識別情報、および（基準送信電力など）電力制御のための少なくとも１つのパラメータのうちの少なくとも１つを含んでいる。電力制御のためのパラメータが提供されない場合、このパラメータは、ランダムアクセス構成の一部としてブロードキャストされる値を使用し得る。
【０１０８】
ランダムアクセス応答は、アップリンク物理チャネル上での最初の送信のために使用される他の情報要素を含んでいることがある。ビーム選択基準信号のためのリソースは、ランダムアクセス応答に続く時間オフセットの後に生じるいくつかのシンボルを占有し得る。そのようなランダムアクセス応答は、あらかじめ定義されるか、または、ランダムアクセス応答中でシグナリングされ得る。ＵＥは、受信のための最良のビーム（または現在ビーム）を決定するためにそのようなリソースを測定し得る。ＵＥが２つ以上のランダムアクセス応答を受信した場合、ＵＥ４０２は、２つ以上の対応するビームサウンディング基準信号リソース上で測定し、少なくとも、全ての応答のうちの測定された信号品質またはレベルに基づいて、後続の送信についてどのランダムアクセス応答に続くべきかを選択し得る。
【０１０９】
ＵＥ４０２は、ビームサウンディング基準信号リソース上での送信のために（選択されたランダムアクセス応答のビーム選択基準信号のための）現在ビームを使用し得る。そのようなリソースは、一般に、ビーム選択基準信号リソースのために使用される最後のシンボルに続く時間オフセットの後に生じるいくつかのシンボルを占有し得る。ビームサウンディング基準信号リソース上での送信は、ネットワークが、送信／受信ポイント（ＴＲＰ）における最良のビームを決定することを可能にする。いくつかの例示的な実施形態では、ＵＥ４０２は、それが、受信が成功したという指示を、ビームサウンディング基準信号の送信に続いてネットワークから受信した場合、プロシージャを進め得る。アップリンク物理チャネルおよびダウンリンク物理チャネル上での後続の送信および受信は、ビーム選択基準信号の測定から決定された現在ビームを使用し得る。その後、現在ビームのさらなる改良が、ネットワークによって開始され得る。
【０１１０】
いくつかの例示的な実施形態では、ＵＥ４０２は、アップリンクおよびダウンリンクにおける復調基準信号の生成のために、ビーム選択基準信号リソースおよびビームサウンディング基準信号リソースについて提供された少なくとも１つのパラメータを利用し得る。例えば、そのようなパラメータは、シーケンスを決定するために使用される識別情報パラメータからなり得る。
【０１１１】
いくつかの例示的な実施形態では、ＵＥ４０２は、新しいビームプロセスの作成のための指示を物理（または上位）レイヤシグナリングから受信し得る。指示自体は、既存のビームプロセスを使用して受信され得る。例えば、そのような指示は、ランダムアクセスプロシージャをトリガするダウンリンク制御シグナリングからなり得る。新しいビームプロセスのためのリソースは、他の例示的な実施形態と同様に後続のランダムアクセス応答中で提供され得る。あるいは、指示は、新しいビームプロセスのためのリソースを直接割り振り、それぞれ、ビーム選択基準信号およびビームサウンディング基準信号上での受信および送信を直接トリガし得る。そのような場合、適用可能なタイミングアドバンスは、指示を受信するために使用される既存のビームプロセスと同じであり得る。
【０１１２】
いくつかの例示的な実施形態では、ＵＥ４０２は、既存のビームプロセスの削除のための指示を物理（または上位）レイヤシグナリングから受信し得る。ＵＥ４０２は、ビームプロセスのための測定を実行し得る。そのような測定は、ＵＥ４０２がビームプロセス内の最良のビームを識別することを可能にし得る。例えば、ＵＥ４０２は、ビームプロセス構成内のビーム（現在ビーム）を使用するように構成され得る。ＵＥ４０２は、他のビーム（場合によっては、後で定義されるビームグループ内のビーム）のサブセットとともにそのビームを使用して測定を実行し得る。そのような測定は、周期的であり、ネットワークによって構成され得る。別の例示的な実施形態では、そのような測定は非周期的であり得る。例えば、ＵＥ４０２は、場合によってはそのビームプロセスを使用する送信を介して、それのサービングＴＲＰによってそのような測定を実行するようにトリガされ得る。別の例では、ＵＥは、ビームプロセスと関連付けられたビーム上で実行された測定によって、ビームグループ上でそのような測定を実行するようにトリガされ得る。
【０１１３】
そのような測定をとると、ＵＥ４０２は、新しいビームがＴＲＰ／セル／ｅＮＢから／への受信（および場合によっては送信）を改善すると決定し得る。そのような場合、ＵＥ４０２は、新しいビームを含めるようにビームプロセスを自律的に更新し得る。ＵＥ４０２はまた、ＵＥ４０２がそれのビームを変更したことを（ビームプロセス自体を使用する送信などを介して）ネットワークに示し得る。これは、ネットワークが、それ自体のビームが新しいＵＥビームに依然として最も良く適するかどうかを決定することを可能にし得る。別の例示的な実施形態では、新しいビームがビームプロセスの実行を改善し得ると決定すると、ＵＥ４０２は、新しいビーム選択プロシージャを開始することをネットワークに要求し得る。そのようなプロセスは、ＵＥ４０２が、新たに決定されたビームを使用することを必要とすることも必要としないこともある。
【０１１４】
モビリティ関係態様
ビーム（ビームグループ内のビーム）のセット上での測定をトリガすると、ＵＥ４０２は、ビームプロセス内で使用すべき好適なビームを見つけないことがある。例えば、ＵＥ４０２は、それがビームプロセスを使用してデータを成功裡に送信および／または受信することができないことを示す元のビームプロセス構成上での測定により、同調プロセスを開始し得る。そのような結論は、測定がしきい値よりも小さいことに基づき得る。この場合、ＵＥ４０２は、ビームプロセスを使用し続ける前に、ビームプロセス内で使用すべき別のビームを見つけるように指示され得る。ＵＥ４０２がビームグループ内の別のビームを取得することに失敗した場合、それは、以下の行為、すなわち、別のビームグループ中の若しくは場合によっては同じビームクラス中のビームを探索し続けること、別のビームクラス若しくは前に選択されたビームと重複するビームクラス中のビームを探索し続けること、またはビームプロセスのための無線リンク障害（ＲＬＦ）若しくはビームリンク障害（ＢＬＦ）を宣言することのうちの少なくとも１つを行い得る。ＲＬＦが本明細書中のどこで使用されても、それはＢＬＦをも含む。
【０１１５】
ＵＥ４０２がビームプロセスのためのＲＬＦを決定した場合、それは、そのような状況を少なくとも１つのサービングＴＲＰに示し得る。ＵＥ４０２が、依然として、動作可能な（非ＲＬＦなど）ビームプロセスで構成される場合、ＵＥ４０２は、ＲＬＦを受けたビームプロセスの識別情報をＴＲＰに示し得る。一実施形態では、ＵＥ４０２は、指示を搬送するためにアップリンクビーム回復送信を送信し得る。その上、ビーム回復送信では、ＵＥ４０２は、ＵＥ無線リンクを維持するために、ターゲットビームプロセス、例えば、動作可能な（例えば、非ＲＬＦ）ビームプロセスへの切替えを要求し得る。ＵＥ４０２は、ビーム回復送信のための事前構成された時間／周波数／コード／ビームリソースを使用し得る。例えば、ＵＥ４０２は、動作可能な（例えば、非ＲＬＦ）ビームプロセスと関連付けられたアップリンク送信ビームを使用し得る。別の例では、ＵＥ４０２は、デフォルトＵＬビーム上でビーム回復送信を送信し得る。ビーム回復送信は、受信機におけるビームスイーピングを可能にするために、複数のシンボル、スロット、または送信上で繰り返され得る。別の例では、ＵＥ４０２は、全ての構成されたビームプロセスと関連付けられたアップリンクビームを使用するアップリンクビームスイーピングの様式で、ビーム回復送信を送信し得る。ＵＥ４０２は、ダウンリンクＬ１制御シグナリング中で切替えコマンドを監視および受信し得る。切替えコマンドは、デフォルトビームペアリンク（例えば、全方向でもあり得る、広いビームＴｘおよびＲｘビームペア）上で、ＵＥ４０２によって受信され得る。切替えコマンドは、ＵＥ４０２がビーム捕捉を実行し得るリソースを示し得る。別の実施形態では、切替えコマンドは、次回の送信のために使用すべき１つまたは複数のＢＰＬをＵＥ４０２に明示的に示し得る。別の実施形態では、ＵＥ４０２は、ターゲットビーム切替えプロセスと関連付けられたダウンリンクビームについてダウンリンクＬ１制御シグナリング中で切替えコマンドを監視および受信し得る。
【０１１６】
ＵＥがもはやいかなる動作可能なビームプロセスも有しない場合（例えば、ＵＥが単一のビームプロセスで構成され、そのビームプロセスがＲＬＦを受けた場合）、ＵＥは、新しい最初のビームプロセス捕捉を実行し得る。別の例示的な実施形態では、ＵＥは、マスタビームプロセスまたは１次ビームプロセスで構成され得る。そのようなビームプロセス上のＲＬＦの宣言は、ＵＥを、新しい最初のビームプロセス捕捉を実行するようにトリガし得る。そのようなプロセスは、全ての既存のビームプロセスを除去し得る。そのようなプロセス中に、ＵＥ４０２は、１つの（マスタまたは１次など）ビームプロセス上でＲＬＦが起こったのか（そのＴＲＰ／セル／ｅＮＢにひも付けされた全てのビームプロセス上など）全てのビームプロセス上でＲＬＦが起こったのかをネットワークに示し得る。
【０１１７】
例示的な一実施形態では、最初のビームプロセス捕捉は、ランダムアクセスプロシージャを使用し得る。そのような場合、ＵＥ４０２は、ビームプロセス（再）捕捉のために非競合ベースＲＡを実行するようにリソースおよび／またはプリアンブル値で事前構成され得る。別の例では、ＵＥは、第２のＴＲＰ／セル／ｅＮＢへの接続性を有し得る。第２のＴＲＰ／セル／ｅＮＢは、場合によっては第１のＴＲＰ／セル／ｅＮＢの１つまたは全てのビームプロセス上のＲＬＦを宣言すると、非競合ベースランダムアクセスを実行するためのランダムアクセスリソース（またはプリアンブル）をＵＥに提供し得る。
【０１１８】
ＵＥ４０２は、少なくとも１つのモビリティ基準信号（ＭＲＳ）上での測定を維持し得る。そのようなモビリティ基準信号は、ＴＲＰごとに、または各ＴＲＰについての直交リソース上で送信され得る。モビリティ測定は、（そのような測定に専用のビームプロセスなどの）特定のビームプロセスを使用し得る。ＵＥ４０２は、新しいビームプロセスを追加することを決定し得る。そのような決定は、１つまたは複数の新しいビームプロセスを取得する可能性を示す少なくとも１つのＭＲＳ上での測定、受信性能若しくは送信性能を改善するとのＵＥ４０２による決定、ＵＥのロケーション、またはＴＲＰ／セル／ｅＮＢと関連付けられた１つまたは複数のビームプロセス上のＲＬＦによってトリガされ得る。ＵＥ４０２は、新しいビームプロセスの追加を伴う増加されたダイバーシティを介して受信性能または送信性能を改善し得る。別の例示的な実施形態では、ＵＥ４０２は、新しいビームプロセスがＣｏＭＰのような送信および受信を可能にすることを要求し得る。ロケーションに関して、ＵＥ４０２は、異なるＴＲＰに関してそれのロケーションを記憶し得、１つまたは複数の新しいビームプロセスが新しいＴＲＰから求められ得ると決定し得る。新しいビームプロセスを追加することを決定すると、ＵＥ４０２は、とられた測定、または１つまたは複数の新しいビームプロセスを追加するようにとの（または既存のビームプロセスを新しいビームプロセスと交換するようにとの）明示的指示を、ネットワークに示し得る。この指示は、ビームプロセス捕捉のための新しいプロシージャを開始し得る。
【０１１９】
（使用されていないＴＲＸチェーンが残っている場合など）ＵＥ４０２が別のビームプロセスを除去することなしに新しいビームプロセスを追加することが可能である場合、ＵＥ４０２は、新しいビームプロセスが既存のビームプロセスのリストに追加され得ることを示し得る。あるいは、ネットワークは、ＵＥのビームプロセス能力を通知され得、前のビームプロセスを除去することなしにビームプロセスを追加することを開始し得る。
【０１２０】
別の例示的な実施形態では、ＵＥ４０２は、既存のビームプロセスを除去することまたは少なくとも既存のビームプロセスのパラメータを修正することのいずれもなしに、それが、新しいビームプロセスを追加することができないことを、ネットワークに示し得る。さらに、ＵＥ４０２は、新しいビームプロセスを追加するようにとの要求を既存のビームプロセスに示し得る。例えば、ＵＥ４０２は、既存のビームプロセスが時間リソースのサブセットのために構成され得ることを示し得る。ＵＥ４０２は、そのような時間リソース制限のために使用すべき（１つまたは複数の）ビームプロセスのセットを示し得る。
【０１２１】
ＵＥ４０２は、新しいビームプロセスのためにどの時間リソースを構成すべきかを、場合によっては新しいＴＲＰ／セル／ｅＮＢに示し得る。新しいビームプロセスは、時間リソースの直交セットのために構成され得る。この構成変更は、前に構成されたビームプロセスとの新しいビームプロセスの共存を可能にし得る。
【０１２２】
ＵＥ４０２はビームプロセスのセットを維持し得る。そのようなセットの要素は、同時に使用され得るビームプロセスを含み得る。そのようなセットは、ＵＥ４０２またはＴＲＰ／セル／ｅＮＢのいずれかのＴＲＸチェーンの最大数よりも少数の要素を含み得る。ビームプロセスは２つ以上のセット中に含まれ得る。例えば、ＵＥ４０２は、時間制限のない第１のビームプロセスと、時間リソースの第１のセットに適用可能な第２のビームプロセスと、時間リソースの第１のセットに直交する時間リソースの第２のセットに適用可能な第３のビームプロセスとを有し得る。そのような場合、ＵＥ４０２は、第１のビームプロセスおよび第２のビームプロセスをもつビームプロセスの第１のセットと、第１のビームプロセスおよび第３のビームプロセスをもつビームプロセスの第２のセットとを維持し得る。前に構成されたビームプロセスおよび新しいビームプロセスのための時間制限は、ネットワークによってさらに再構成されるまで、またはＵＥ４０２が１つまたは複数のビームプロセス上でパラメータの変更を要求するまで、適したままであり得る。
【０１２３】
例示的な実施形態では、モビリティイベントをトリガすると、ＵＥ４０２は、１つのビームプロセス（または全てのビームプロセス）が時間リソースの事前構成されたセットを使用し得ると仮定し得る。１つのビームプロセスがマスタビームプロセスであり得るか、または、時間リソースがビームプロセスＩＤに基づいて決定され得る。ＵＥは、先在するビームプロセスのために使用される時間リソースに直交する時間リソース上でビームプロセス捕捉を実行し得る。モビリティイベントを完了すると、ＵＥ４０２は、新しいビームプロセスが全ての時間リソースについて有効であると仮定し得、モビリティイベント中に制限された前に構成されたビームプロセスは、完全に除去され得る。
【０１２４】
ＵＥ４０２は、ビームプロセスの追加の原因に依存する異なるビームプロセス捕捉方法を使用し得る。例えば、原因が、ダイバーシティまたは多重化を増加させることなど、ビームプロセスの数を増加させることである場合、ＵＥ４０２は、既存のビームプロセスにひも付けされたルールに基づいて新しいビームプロセスを取得することを試み得る。この例では、ＵＥ４０２は、新しいビームプロセスを取得するためにビーム（またはビームグループ若しくはビームクラス）の制限されたセットをテストし得る。制限は、既存のビームプロセスのセットへの新しいビームプロセスの追加を保証し得、新しいビームプロセスは既存のビームプロセスと相関させられる可能性が低い。
【０１２５】
別の例では、ＵＥ４０２が、例えばＲＬＦにより、新しいビームを追加することを要求する場合、ＵＥ４０２は、特定のビームグループおよび／またはクラスを用いてプロセスを開始し得る。この方法論は、新しいビームプロセスが送信／受信性能を最適化するかどうかにかかわらず、より短い時間期間中に新しいビームプロセスを見つけることを保証し得る。例えば、特定のビームクラスのビームを使用してＲＬＦを受けたＵＥ４０２は、より高いまたはより低いクラスのビームを使用して新しいビームプロセス捕捉を試み得る。
【０１２６】
ＵＥ４０２は、ビームプロセスを追加するようにとの要求をネットワークに示し得る。そのような指示は、ビームプロセスを追加することの原因、新しいビームプロセスと交換されるべき既存のビームプロセス、またはビームプロセス使用制限を含み得る。例えば、使用制限は、（ＵＬ、ＤＬ、ＳＬ、または組合せなどの）通信リンク方向を含み得る。別の例では、使用制限は、送信タイプ（例えば、ｍＭＴＣ、ＵＲＬＬＣ、ｅＭＢＢ）を含み得る。また別の例では、使用制限は、ビームプロセスパラメータ（例えば、ＳＯＭまたはヌメロロジー）を含み得る。さらなる例では、使用制限は、ビームプロセスの目的（例えば、データ送信のためまたはモビリティ測定のため）を含み得る。別の例では、使用制限は、ビームプロセスによって使用されることが予想される時間リソースのサブセットをリストし得る。
【０１２７】
ＵＥ４０２は、ビームプロセスを追加または除去することを要求し得る。そのような要求は、サービングＴＲＰ／セル／ｅＮＢに対して、専用リソースを使用して行われ得る。例えばＵＥは、ビームプロセス自体を使用してビームプロセスの除去についての要求を送信し得る。別の例では、ＵＥは、ＴＲＰにビームプロセスを追加することを要求し、ＴＲＰ  ＩＤ（またはＭＲＳ上で取得される任意のパラメータ）をソースＴＲＰに示し得る。
【０１２８】
例示的な実施形態では、ＵＥ４０２は、ＲＡのようなプロシージャを使用することによって新しいビームプロセスを追加することを要求し得る。ＵＥ４０２は、新しいビームプロセスのために使用されるべきビームを使用してランダムアクセスプリアンブルを送信し得る。この送信は、ＴＲＰ／セル／ｅＮＢビームのみがそのビームプロセスのためのＵＥのビームに一致される動作をトリガし得る。別の例では、ＵＥ４０２は、指定されたＲＡの適切なビームクラスからのビームを使用し得る。続くプロシージャは、ＵＥのビームとＴＲＰ／セル／ｅＮＢビームの両方の最適化を強制し得る。
【０１２９】
別の例示的な実施形態では、ＵＥ４０２は、（例えば、ＲＡを使用して）ビーム追加についての要求を送信するために専用ビームおよび／またはビームプロセスを有し得る。そのような専用ビームおよび／またはビームプロセスは、ネットワークによって構成され得る。別の例では、ＵＥ４０２は、特定の使用のために１つまたは複数のビームプロセスで構成され得る。さらに、１つまたは複数のそのようなビームプロセスは、追加のビームプロセス要求のために使用されるようにタグ付けされ得る。
【０１３０】
いくつかの実施形態では、ＵＥ４０２は、同時ビームプロセスのためのビームプロセス送信多重化構成を受信する。
【０１３１】
いくつかの実施形態では、ＵＥ４０２は、関連付けられたビームプロセスが、サブキャリア間隔、シンボル長、リソースブロックサイズ、サイクリックプレフィックス長などを含む同等の信号構成を有し得るとき、異なるＴＲＰに同時に送信するように構成され得る。そのような実施形態では、異なるＴＲＰへのアップリンクビーム送信は、同じ周波数リソースを使用し得、および空間的に多重化され得、アップリンクビームは、ビームパターン間の分離が事前構成されたしきい値よりも高くなり得るようなやり方でＴＲＰに向けられる。この手法の潜在的利益は、周波数リソースおよび得られた高いアップリンクスペクトル効率の再使用であり得る。
【０１３２】
別の実施形態では、アップリンクビーム送信は、異なるＴＲＰと関連付けられた各ビームプロセスについての専用周波数リソースを使用して多重化され得る。得られたアップリンクビームパターンは部分的に重複し得、低減されたビームフォーミング複雑さが生じ得る。
【０１３３】
あるいは、ＵＥ４０２は、異なるＴＲＰと関連付けられたビームプロセスのための異なる直交拡散コードを使用し得、コード構成は、各ＴＲＰについて受信され得る。
【０１３４】
ビーム選択プロシージャ
以下のセクションは、ビーム選択のための方法および例示的な実施形態について説明する。例示的な実施形態は単一のビームまたは単一のビームプロセスの観点から説明され得るが、実際にはプロシージャは複数のビームプロセスに並列に適用され得ることを理解されたい。
【０１３５】
ビームクラス
ビームは、概して、例えば、非特許文献１で説明されるように特徴づけられ得る。前に説明されたように、図３Ａおよび図３Ｂは、ビームピーク方向とビーム中心方向との間の差を示す。ビームピーク方向はビームのための最大ポイントを指し、ビーム中心方向はビームの分布の中心ポイントを指す。
【０１３６】
図５は、ビーム５０６とビームグループ５０８とビームクラス５０２、５０４との間の差を示す。それは、より低いビームクラス５０２とより高いビームクラス５０４との間の差をも示す。この例におけるビームファミリーは、同じクラスの全てのビームからなり得る。
【０１３７】
ビームクラスにわたってリンクを維持するための例示的な実施形態
異なるビームクラスは異なるカバレージレベルを呈し得る。一般に、ビームが指向性であるほど、特定の方向におけるカバレージが良好になる。この観測はまた、指向性とカバレージとの間のトレードオフがしばしば存在することを意味する。より広いビームがより小さいカバレージを呈し得、これは、いくつかのタイプのトラフィックまたは制御チャネルにとって問題になり得る。より低いビームクラスに変化するとき、ＵＥは無線リンクを失うことがある。同様に、ＵＥがより高いビームクラスに変化するとき、ＵＥは、結局、所与のレートについてあまりに多くの電力を送信することになり得る。
【０１３８】
例示的な実施形態では、ＵＥは、ビームクラスに従ってそれの送信電力をスケーリングするように構成され得る。例えば、より低いビームクラスは、他のより高いビームクラスと比較して（所与のビットレート、トランスポートフォーマットまたはＭＣＳなどについて）より多くの電力を使用し得る。この構成は、例えば、ビームクラスと関連付けられたあらかじめ定義された電力スケーリングファクタを使用して実装され得る。この手法は、ｅＮＢにおける同様の受信電力につながり得、無線リンクを維持し得るが、それはまた、電力増幅器が一般に電力限定されるので、ビームクラスごとにデータレートを限定する。
【０１３９】
例示的な実施形態では、リンクは、複数のビーム上での繰返しを使用することによって維持され得る。例えば、ＵＥは、複数の時間インスタンスにわたって（例えば、同じビームグループに属する）複数のビーム上で所与のデータブロックの送信を繰り返すように構成され得る。ＵＥは、（例えば、ビームグループ内の）ビームのあらかじめ定義されたシーケンスを使用するように構成され得る。
【０１４０】
複数のビーム上での繰返しは、例えば、ＵＥがより低いビームクラスに変化したとき、トリガされ得る。例示的な一実施形態では、この手法は、カバレージの変化によるセグメンテーションを回避し、これは、より低いビームクラスへの変化から生じ、ＨＡＲＱ再送信にのみ適用される。
【０１４１】
例示的な一実施形態では、複数のビーム上での繰返しは、ネットワークによってトリガされ、制御され得る。例えば、ＵＥは、複数のビーム上での繰返しを開始するようにとの制御チャネル上の指示（例えばＤＣＩ）を受信し得る。随意に、指示は、データを送信するために使用すべきビームクラスおよび／またはビームグループインデックスを含み得る。この指示は、例えば、より低いビームクラスに変化するようにとの指示に付随し得る。
【０１４２】
別の例示的な実施形態では、ＵＥは、複数のビーム上での繰返しがいつ求められるか（例えば、複数のビーム上で再送信すべきデータをＵＥがそれの再送信バッファ中にいつ有するか）をネットワークに示す（例えば、ＵＣＩ）ように構成され得る。
【０１４３】
また別の例示的な実施形態では、ＵＥは、一度にビームのサブセット上で送信し得る。より詳細には、ＵＥは、単一のＴＴＩ内に複数のビームのサブセット上で、繰り返されるデータを送信するように構成され得る。ＵＥは、ネットワークからＡＣＫ／ＮＡＣＫを受信し、複数のビームの別のサブセット上で繰返しデータを送信し続け得る。ＵＥは、それがネットワークからＡＣＫを受信するまで、またはそれが全ての関連するビーム上で送信するまで、このプロセスを繰り返す。
【０１４４】
選択のための利用可能なビームのセットを決定すること
ＵＥは、（利用可能なビームのセットとも呼ばれる）それのビームのサブセット上での送信のためのビームを選択するように構成され得る。ビームのサブセットは、（例えば、（ＲＲＣ上でなど）半静的に、または（ＤＣＩタイプのシグナリングを介してなど）動的に）ネットワークによって構成され得る。
【０１４５】
例示的な実施形態では、ＵＥは、ビームクラスに基づいて利用可能なビームのセットを決定するように構成され得る。例えば、ＵＥは、利用可能なビームのセットが、例えば、ビームプロセスにリンクされたより低いビームクラスのビームに関連付けられたビームグループに対応すると決定し得る。別のオプションでは、ＵＥは、例えば、ビームプロセスと関連付けられたダウンリンク基準信号のための到来方向に基づいて、ビームグループを決定し得る。例えば、利用可能なビームのセットは、ダウンリンク基準信号の到来方向（ＤｏＡ）としての最も近いビーム方向をもつより低いビームクラスのビームグループであり得る。
【０１４６】
例示的な実施形態では、ＵＥは角度限定によって制約された利用可能なビームのセットで構成され得る。例えば、これらの限定はビームの方向に適用可能であり得る。ＵＥは、利用可能なビームのセットのためのビームの方向を、ビームプロセスと関連付けられたダウンリンク基準信号のためのＤｏＡからの特定の角距離に限定するように構成され得る。
【０１４７】
別の例では、ＵＥは、あるビーム空間内にあるように制約される任意のビームを使用するように構成され得る。ビーム空間は、それの境界を設定するために角度限定を使用し得る。例えば、ＵＥは、利用可能なビームのセットが、それのビーム方向が（例えば、関連付けられたビームプロセスのダウンリンク基準信号のＤｏＡと関連付けられた）値のセット内にある任意のビームからなると決定し得る。ＵＥは、任意の形状を有するビームにより１つまたは複数の条件をさらに適用し得る。例示的な一実施形態では、ＵＥは、ビームの特定のエネルギー量（例えば、９０％）を特定の角度限定に限定し得る。例えば、角度限定は、ビームプロセスと関連付けられたダウンリンク基準信号のＤｏＡに適用される、ネットワークによって構成された角度差分値（ΔＤｏＡ）に基づいて決定され得る。
【０１４８】
ＵＥは、それのアップリンク送信のためにどのビームクラスを使用すべきかを決定するように構成され得る。ネットワークは、ＤＣＩを介してまたは（ＲＲＣなどの）半静的シグナリングを介してなど、特定のビームクラスを使用するようにＵＥを構成し得る。別の例示的な実施形態では、ＵＥは、分離して、ＵＥによって保存されたファクタに基づいて最も適切なビームクラスを決定するように構成され得る。
【０１４９】
ＵＥは、送信データに基づいて、送信のために使用すべきビームクラスを決定し得る。例えば、ＵＥは、（ＲＲＣシグナリングまたはＲＡＣＨアクセスなど）制御情報のための１つまたは複数のビームクラスとデータ転送のための１つまたは複数のビームクラスとを使用するように構成され得る。別の例では、ＵＥは、各論理チャネルについてビームクラスを使用するように構成され得る。ＵＥは、送信されている論理チャネルと関連付けられたビームクラスを使用し得る。ＵＥはまた、異なる関連付けられたビームクラスをもつ複数の論理チャネルが一緒に多重化されたとき、どのビームクラスを使用すべきかを決定するためのルールを記憶し得る。例えば、ルールは、そのトランスポートブロック中で多重化された論理チャネルと関連付けられたビームクラスのうちの最も低いビームクラスを使用し得る。
【０１５０】
別の例では、ＵＥは、ｍＭＴＣ、ｅＭＢＢ  ＵＲＬＬＣまたはＱｏＳなど、異なるトラフィックタイプについて特定のビームクラスを使用するように構成され得る。例えば、ＵＥは、ＱｏＳ構成において直接ビームクラスで構成され得るか、または、ＵＥは、特定のビームクラスにＱｏＳをリンクする関連付けテーブル若しくはフィルタで構成され得る。
【０１５１】
ＵＥは、ＵＥがそれのＵＬ送信においてどのビームクラスを使用するかをネットワークに示すように構成され得る。この情報は、ＵＣＩ中で、または特殊ＭＡＣヘッダ若しくは他のタイプのシグナリング中で搬送され得る。ＵＥは、それがいつビームクラスを変更するか、または、どのビームクラスを使用すべきかの決定をＵＥがいつ行うかのみをネットワークに示し得る。
【０１５２】
別の例示的な実施形態では、ＵＥは、特定のビームクラスを使用するように、ｅＮＢから明示的に構成され得る。例えば、ｅＮＢ  ＵＬ許可は、アップリンクビームフォーミングのために使用すべき特定のビームクラスを示し得る。そのような場合、ビームクラスは、許可の持続時間の間のみ有効であり得る。あるいは、ＵＥは、使用すべきビームクラスで半静的に構成され得る。
【０１５３】
ＵＥとネットワークとは、ＵＥとネットワークの両方が、どのビームクラスが使用されているかに常に気づいているままであるように、ビームクラス状態の同期を維持し得る。いくつかの手法がこの同期を達成し得る。１つの手法では、反対のエンティティは、（例えば、ＭＡＣまたはＲＲＣプロトコルレベルにおいて）全てのビームクラス変更に肯定応答する。この手法の例では、ＵＥは、特殊ＭＡＣ制御要素を介してビームクラス変更を示し、それがネットワークから（例えば、ＤＬ  ＭＡＣ制御要素から）信頼できる肯定応答を受信したときのみ、その変更を適用し得る。
【０１５４】
ＵＥは、それが構成を変更するまで、またはＵＥがそれを変更するためのメッセージをネットワークから受信するまで、ビームクラス構成を保ち得る。ＵＥは、ビームクラスを直ちに変更し、それの次の送信において（例えばＭＡＣヘッダまたは他の制御メッセージにおいて）ネットワークメッセージに肯定応答するように構成され得るか、または、ＵＥは、ネットワークのメッセージに肯定応答し、ネットワークから肯定応答（例えばＨＡＲＱ−ＡＣＫまたは他の上位レイヤ肯定応答）を受信した後にのみ、変更を適用し得る。
【０１５５】
ＵＥは、実際には、複数のビームプロセスで構成され得る。チャネルの空間ダイバーシティまたは空間多重化能力を活用するために、ネットワークは関連付けられたダウンリンク基準信号のための送信の方向を制御し得、各ビームプロセスは独立した伝搬経路につながるべきである。ＵＥは、異なるビームプロセスについて同じ伝搬経路（ビーム）上でデータを送信することを回避する。利用可能なビームのセットを決定したとき、ＵＥは、他の継続中またはアクティブビームプロセスに関係する１つまたは複数のビームを除外するように構成され得る。
【０１５６】
ＵＥは、所与のビームプロセスに関係するビームのセットを決定するように構成され得る。ＵＥは、（他の）ビームプロセスにおける選択されたビームと同じビームと、ビームプロセスに関連付けられたビームグループ中のビームと、（他の）ビームプロセスの選択されたビームのためのビームインデックスの範囲内のビームと、（他の）ビームプロセスの選択されたビームの角距離内のビームとを含むリストを作成し得る。ビームプロセスと関連付けられたビームグループ中のビームは、ビームプロセスの選択されたビームと関連付けられたより低いビームクラスのビームグループを含む。ビームインデックスの範囲は、ネットワークによってまたは仕様を介して、アプリオリに構成され得る。例えば、ビームの範囲は、選択されたビームからの±Ｎ個のビームインデックス内の全てのビームを含み得る。
【０１５７】
角距離は、ネットワークによってアプリオリに構成され得る。関係するビームは、ビーム中心が（他の）ビームプロセスのための選択されたビームのビーム中心から特定の最大角距離内にある（同じビームクラスのための）ビームを含む。最大角距離（例えば、度またはラジアン単位）は、ネットワークによって構成され得る。例えば、関係するビームは、ビーム中心が（他の）ビームプロセスのビーム中心の±Δmax内にあるビームとして定義され得る。あるいは、関係するビームのセットは、ビームの３ｄＢ（または他の値）ローブと（他の）ビームプロセスの選択されたビームのビーム中心の両方に基づいて定義され得る。３ｄＢローブが（他の）ビームプロセスの選択されたビームのビーム中心の±Δmax内に入るビームが、関係すると考えられ得る。
【０１５８】
２つ以上のビームプロセスで構成されたとき、ＵＥは、関係するビームのセットの外部のビームを選択する（全ての外部のビームプロセスを考慮する）ように、各ビームプロセスについて構成され得る。ＵＥは、最良の利用可能な（および無関係の）ビームを選択するように構成され得る。
【０１５９】
例示的な実施形態では、選択すべき最良のビームが関係するビームのセット内に入るとＵＥが決定したとき、および／または、利用可能なビームのセットが空であるとＵＥが決定したとき、ＵＥは、関連付けられたビームプロセス上での送信を停止するように構成され得るか、または、ＵＥは、利用可能なビームを有する異なるビームプロセス上で送信することによって（例えば、制御シグナリングを介して）ネットワークに通知し得る。ＵＥは、ビームプロセス数または識別情報と、関係するビームまたはビームプロセスとをさらに示し得る。
【０１６０】
選択プロシージャ
ＵＥは、以下の例示的な実施形態、すなわち、品質／空間／エネルギーメトリック、周期性、ダウンリンク制御／データ／基準信号送信、単段階（single-stage）測定、または多段階（multi-stage）測定のうちの少なくとも１つを使用することによる１つまたは複数のダウンリンクビームの測定に基づいて、アップリンク送信のための使用すべきビームクラス、ビームグループ、およびビームを決定し得る。
【０１６１】
ビーム品質メトリック測定は、ＳＮＲ、Ｅb／Ｎ0、ＲＳＳＱおよびＣＱＩに基づき得る。ビーム空間情報測定は、到来角（ＡｏＡ）に基づき得る。ビームエネルギーメトリック測定は、ＲＳＳＩおよび広帯域ＡＧＣ設定に基づき得る。
【０１６２】
ビーム周期性測定は周期的または非周期的であり得、ここで、ビーム測定はネットワークによってスケジュールされ得る。アクティブダウンリンクデータ送信中に、測定フィールドまたはギャップが測定スケジューリング中に含まれ得る。ビーム測定は、測定周期性を含む、システムブロードキャスト情報または上位レイヤ専用シグナリング中で構成され得る。ＵＥは、あらかじめ定義された期間内の周期的測定のためにトリガされ得る。
【０１６３】
ダウンリンク制御／データ／基準信号送信では、ビーム測定は、ダウンリンク制御情報、ダウンリンクデータ送信、スケジュールされたダウンリンク基準信号送信（例えば、ビーム選択基準信号）、または周期ダウンリンク基準信号送信（例えばビーム選択基準信号）と関連付けられたダウンリンクビーム上で実行され得る。
【０１６４】
単段階ビーム測定は、ビーム測定のためにＵＥによって事前構成され、選択された１つのビームクラスのビームグループからの１つまたは複数のビーム、測定が使用されるべきであるターゲット測定ビームクラスおよびアップリンク送信サービスタイプに基づくビームクラス、または、ターゲットダウンリンクビームが受信され得るビーム空間をカバーするための連続若しくは任意の様式における適用されたビームのスイープを使用して測定され得る。
【０１６５】
多段階測定は、単段階測定と同様の様式で選択された第１の測定結果を取得するための第１のビームクラスのビームグループからの１つまたは複数のビーム、次の測定を使用するための、および第１の測定結果に基づいて、（減少されたビーム幅または調整された中心方向など）第１のビームクラスと比較して１つまたは複数の異なる特性を有し得る第２のビームクラスの１つまたは複数のビームを使用するための、第１の測定プロセスの継続、または、各段階が選択されたビームからなり得、測定されたダウンリンクビームの空間情報および品質メトリックをＵＥが決定しながら徐々にビーム空間を低減し得る多段階スイープを使用して測定され得る。
【０１６６】
測定結果に基づいて、ＵＥは、測定のために使用されるビームクラスとアップリンク送信のためのそれの関連付けられたビームクラスとの間のリンケージ、方向相反性に基づく計算、または測定に基づくビーム空間上での複数の選択されたアップリンクビームのスイープを使用して、アップリンク送信のためにビームクラスのビームグループから少なくとも１つのビームを選択し得る。
【０１６７】
測定のためのおよび送信のためのビームクラスのリンケージがビームプロセス中に含まれ得る。いくつかの例示的な実施形態では、ＵＥは、測定のために使用されるものと同じビームクラスのアップリンクビームを選択し得る。例えば、選択されたアップリンクビームは、同様のビーム幅、ビーム中心方向、またはビーム空間を有し得る。
【０１６８】
方向相反性計算は、例えば、ＡｏＡとＡｏＤとの間であり得る。例示的な実施形態では、ＵＥは、ダウンリンク測定の推定されたＡｏＡ情報とビーム幅とに基づいて、ビーム中心方向計算を用いてビームクラスからアップリンクビームを選択し得る。
【０１６９】
複数の選択されたアップリンクビームのスイープでは、ＵＥは、測定のために使用されるものとは異なるビームクラスのビームのグループと、測定されたダウンリンクビーム空間上でのビームのスイープとを選択し得る。
【０１７０】
ＵＥは、測定と、ネットワークによってシグナリングされた測定されたビームクラスと関連付けられた予想される電力オフセット、アップリンク送信を対象とするアップリンクチャネルタイプおよびサービス、選択されたビームクラスの優先度および最大限定、各アンテナ要素の最大送信電力、ＵＥアップリンク送信の最大ＥＩＲＰ、並びに、ビームクラスを調整するためにまたは要素ごとに電力を調整しながらビームクラスを維持するためにＵＥが使用し得るネットワークからのＥＩＲＰ調整指示を含む他の構成とに基づいて、選択されたビームについてビーム固有電力を設定し得る。
【０１７１】
ＵＥは、アップリンクビームサウンディングプロシージャのために受信されたフィードバックに基づいて、アップリンク送信のために使用すべきビームクラス、ビームグループ、およびビームのうちの１つまたは複数を決定し得る。サウンディングプロシージャは、ネットワークによってスケジュールされ、構成され得る。構成は、アンテナポート構成と、ビームクラスインジケータと、サウンディングビームの数と、時間リソース割振りと、周波数リソース割振りと、サウンディングビームの基準信号構成と、サウンディングビームのＥＩＲＰとを含み得る。アンテナポート構成は、どのポートを使用すべきかを示す。ビームクラスインジケータは、アンテナポートごとのサウンディングのためにどのビームクラスが使用され得るかを示す。サウンディングビームの数は、アンテナポートごとにいくつのサウンディングビームを送信すべきかを示す。時間リソース割振りのための例示的な実施形態は、１つのサブフレームの制御フィールド中の複数のシンボルのフィールドまたは１つのサブフレームのデータセクション中の複数のシンボルのギャップを割り振り得る。別の例示的な実施形態では、特殊サブフレームがサウンディングプロシージャのために構成され得る。例示的な周波数リソース割振りは、サブキャリアまたはリソースブロックのグループであり得る。サウンディングビームの例示的な基準信号構成は、各アンテナポートについてのまたはＵＥについての基本Ｚａｄｏｆｆ−Ｃｈｕ（ＺＣ）シーケンスであり得る。サウンディングビームのＥＩＲＰは、各アンテナ要素についてのビームフォーミング利得および電力を含み得る。
【０１７２】
ＵＥは、示されたビームクラスのためのビームグループからのサウンディングビームの構成された数に従って、サウンディングビームを任意に選択し得る。同じアンテナポートから送信された各サウンディングビームについて、ＵＥは同じＺＣ基本シーケンスを適用し得る。ＺＣ基本シーケンスはアンテナポートごとに構成され得る。アンテナポートごとのサウンディングビームは１つずつ送信され得る。異なるアンテナポートは、直交性を維持するために異なるＺＣ基本シーケンスを使用するサウンディングビームを有し得る。
【０１７３】
別の例示的な実施形態では、ＺＣ基本シーケンスはＵＥごとに構成され得、ここで、各アンテナポートは、ダウンリンクビーム測定に基づいてＵＥによって、サイクリックシフトによって割り当てられ得る。そのような場合、サウンディングビーム基準信号はＵＥのアンテナポート間で直交し得る。
【０１７４】
アップリンクビームサウンディングは、ＵＥがフォールバックに入ることまたはダウンリンクデータビームの品質が事前構成しきい値を下回ることなど、事前構成イベントによってトリガされ得る。
【０１７５】
ＵＥは、以下の例示的な実施形態で説明されるように、いくつかのシナリオについて多段階アップリンクビームサウンディングプロシージャを実行し得る。例示的な一実施形態では、ＵＥは、サウンディングプロシージャの各段階について使用すべきビームクラスのシーケンスを伴う多段階サウンディングプロシージャ要求で構成され得る。構成は、各ビームクラスについての時間リソースおよび基準信号構成を含み得る。別の例示的な実施形態では、ＵＥは、ネットワークがサウンディングビームを検出し得るように、ビームクラスのシーケンスを自律的に決定し、自律アップリンクビームサウンディングのために予約された基準信号シーケンスのあらかじめ定義されたセットを使用し得る。ＵＥは、ダウンリンクビーム中で受信された制御情報中でネットワークフィードバックを受信し得る。そのようなフィードバック制御情報は、サウンディングビーム送信タイミングとの固定されたタイミング関係を有し得、ＵＥは、タイミング関係に基づいてフィードバックを監視し得る。別の例示的な実施形態では、フィードバックは、スケジュールされたダウンリンクデータ中に含まれ得る。フィードバックコンテンツは、どのサウンディングビームがしきい値を上回って受信され得、さらなるサウンディングのために使用され得るかを示すためのビットマップであり得る。フィードバックは、それらのサウンディングビームのサウンディングビームメトリック情報および基準信号インデックスをも含み得る。ＵＥは、受信されたフィードバックに基づいてどのビームクラスを使用すべきかを決定し得る。例示的な実施形態では、ＵＥは、構成されたビームクラスシーケンスに従うビームクラスを使用し得る。ＵＥは、フィードバックがしきい値を上回る前のサウンディングビームのビーム空間中のサウンディングビームの次のセットを送信する。ネットワークは、各段階についての新しいリソース割振りを構成するか、あるいは、多段階サウンディングプロシージャが完了するまで同じリソースを適用し得る。
【０１７６】
ＵＥは、アップリンクビームサウンディングプロシージャのフィードバック中で示された最良のサウンディングビームに基づいて、アップリンクビームを選択し得る。別の例示的な実施形態では、ネットワークは、アップリンクビームサウンディングに従ってビームクラスの１つまたは複数のビームをスケジュールし得る。ＵＥは、ダウンリンク制御情報中でアップリンクビームおよびビームクラス構成を受信し得る。
【０１７７】
ネットワークは、アップリンク送信のアップリンクおよびサービスタイプに応じて、各アンテナポートについての異なるビームクラスのビームをスケジュールし得る。例えば、ネットワークは、あるアンテナポートにおけるアップリンク制御情報送信のためのビームクラスと、別のアンテナポートにおけるデータ送信のための別のビームクラスとをスケジュールし得る。スケジューリングは、ビームおよびビームクラスを示すためのＤＣＩ中の１つまたは複数のフィールドを使用して行われ得る。
【０１７８】
送信ビームは、時間領域および周波数領域中で多重化され得る。例えば、１つのサブフレーム中で、ＵＥは、アップリンク制御フィールド中のビームクラスとアップリンクデータフィールド中の異なるビームクラスとを使用し得る。別の例示的な実施形態では、ＵＥは、異なるビームクラスの同時ビームを送信し得、ここで、各ビームはサブキャリアまたはリソースブロックの異なるグループを適用し得る。
【０１７９】
各ビームクラスの電力は、アップリンクビームサウンディングプロシージャのフィードバックに基づいて決定され得る。各ビームクラスは、アンテナ要素ごとに、独立した最大ＥＩＲＰおよび最大送信電力を有し得る。ビームごとの電力制御は、ビームクラスの最大ＥＩＲＰによって限定され得る。
【０１８０】
特定のアップリンクチャネル送信では、ネットワークは、ビームクラスに固有の電力制御コマンドを構成し得る。ＵＥは、要素ごとに送信電力を調整し得る。別の例示的な実施形態では、ネットワークは、アップリンク送信のために異なるビームクラスを構成し得、ＵＥは、新しいビームクラスに従って要素ごとに送信電力を調整し得る。例えば、再構成されたビームクラスは、より広いビーム幅を有し得、ＵＥは、総ＥＩＲＰを維持するために送信電力を増加させ得る。
【０１８１】
ネットワークは、アップリンク送信容量を最大にするように、および共同スケジュールされたＵＥ間のアップリンク送信干渉を回避するように、アップリンクビームおよびビームクラスをスケジュールし得る。アップリンク送信容量を最大にする際に、ネットワークは、極めて狭いビーム幅を伴う最良のサウンディング結果をもつビームクラスに基づいて、アップリンクビームを使用し得る。プロシージャは、単一のユーザのためのスペクトル効率を増加させ得る。アップリンク送信干渉を回避する際に、ネットワークは、例えば、同じＴＲＰに送信し得る全てのＵＥからのアップリンクビームサウンディング結果を評価し、１つのＵＥの送信ビームが共同スケジュールされたＵＥの送信ビームのメインローブ方向に向かってヌルを有し得るように各ＵＥについてのビームおよびビームクラスを選択し得る。この技法は、共同スケジュールされたＵＥが、同じ時間リソース、周波数リソース、およびコードリソースを使用し、ＴＲＰごとに平均スペクトル効率を増加させることを可能にし得る。
【０１８２】
ＵＥは、データビーム送信のダウンリンクＮＡＣＫを受信しながらランプアップＴＰＣビットを受信し、ビームクラスの最大ＥＩＲＰに到達したとき、データ送信のために使用される特定のアップリンクビームのためのあらかじめ定義された数のＮＡＣＫメッセージを受信したとき、または、事前構成規準に基づいてビーム不整合な状態に入ったときなど、複数のシナリオの下でアップリンクフォールバックプロシージャをトリガし得る。
【０１８３】
ＵＥフォールバックプロシージャは、以下の行為、すなわち、現在選択されたビームおよびビームクラスの使用を中止することと、アップリンクデータ送信を続けるために別のビームクラスを選択することと、選択されたビームクラスに従って要素ごとに送信電力を設定することと、あらかじめ定義されたリソースを使用してアップリンクサウンディングプロシージャを開始することとを含み得る。
【０１８４】
アップリンクデータ送信を続けるために別のビームクラスを選択するとき、新しいビームクラスは、最も低いビームクラス、または使用されたビームクラスよりも低いあらかじめ定義されたオフセットをもつビームクラスであり得る。また、例えば、新しいビームクラスは、より広いビーム幅または異なるビーム中心方向を有し得る。
【０１８５】
選択されたビームクラスに従って要素ごとに送信電力を設定するとき、ＵＥは、例えば、より低いビームクラスを使用するとき、低減されたビームフォーミング利得を補償するために送信電力を増加させ得る。要素ごとの最大電力が到達されたとき、ＵＥは、累積利得を提供するためにビームスイーピングを適用し得る。
【０１８６】
あらかじめ定義されたリソースを使用してアップリンクビームサウンディングプロシージャを開始することは、アップリンクビームサウンディングのフォールバックトリガのための基準信号シーケンスを予約することと、アップリンクビームサウンディングのフォールバックトリガのための事前構成された時間リソースおよび周波数リソースを割り振ることとを含み得る。例えば、サウンディングのために使用され得るＵＥおよびＴＲＰ識別情報に基づいて計算されたシンボルおよびサブフレームロケーションがあり得る。
【０１８７】
別の例示的な実施形態では、ＵＥは、（別のアンテナポートからのアップリンク制御情報送信のために使用されるビームなどの）異なるビームクラスのアップリンクビームを使用して、ネットワークにフォールバックインジケータを送り得る。制御送信のためのアップリンクビームは、補正されていない妨害物またはチャネルイベントを経験し得、使用され得る。ＵＥは、アップリンクサウンディングを開始するためのアップリンクサウンディングビーム要求および構成を受信し得る。リソース構成は、予約されないことがあり、動的に構成され得る。別の例示的な実施形態では、ＵＥは、最初のビームプロセス要求を受信し得る。
【０１８８】
ＳＡＲによる最大電力低減（ＭＰＲ）
ＵＥは、検出された距離と角度方向とを含む人体監視情報を動きセンサから受信し得る。ＵＥは、どのアップリンクビームが、検出された人体のあらかじめ定義された近接度内にあり得るかを決定するために、人体検出データを照合し得る。ＵＥは、例えば、あらかじめ定義された値の、最大電力低減（ＭＰＲ）を、各識別されたアップリンクビームに自律的に適用し得る。最大電力が、アップリンクビームパターンによって放出された総実効等方放射電力（ＥＩＲＰ：Effective Isotropic Radiation Power）を示し得ることに留意されたい。
【０１８９】
ＵＥは、様々な異なる技法のうちの１つまたは複数を使用して最大電力低減を実行し得る。ある技法では、ＵＥは、識別されたアップリンクビームと関連付けられた全てのアンテナ要素の要素ごとに最大送信電力をバックオフする。別の技法では、識別されたアップリンクビームのために使用されるアンテナ要素の数は、低減される。これが、アナログビームフォーミングのために使用されるアンテナ要素の数をスケーリングする能力を有するＵＥにおいて実装され得ることに留意されたい。また、アンテナ要素の低減は、ビームクラスの変更を引き起こし得る。別の技法では、ＵＥは、放射パターンを最適な電力に保つために反対側に位置し得る異なるアンテナセットに切り替わり得る（それがそのような能力を有する場合、これは、６ＧＨｚ超の帯域においてそうであり得る）。
【０１９０】
ＵＥは、どのように総ＥＩＲＰを低減すべきかを自律的に決定し得る。いくつかの実施形態では、ネットワークは、ＭＰＲがどのように実行され得るかに関する情報で、アンテナ要素スケーリング能力をもつＵＥを事前構成し得る。
【０１９１】
ＵＥは、最大ＥＩＲＰの低減のためにどの方法が適用されるべきであるか、例えば、最大電力を低減することによって低減が適用されるべきであるのかアンテナ要素の数を低減することによって低減が適用されるべきであるのかの指示で構成され得る。そのような構成は、上位レイヤシグナリングによって提供され得る。
【０１９２】
ビームプロセスパラメータ更新
ＵＥは、さらに、どのアクティブビームプロセスが、ＳＡＲにより引き起こされるＭＰＲをもつアップリンクビームと関連付け得るかを識別し、識別されたビームプロセスの関係するパラメータを更新し得る。ビームプロセス固有パラメータは、更新された最大総ＥＩＲＰ、最大の構成された電力、得られた電力ヘッドルームおよびビームクラスを含み得る。ビームクラス変更は、ＵＥに、アップリンクビーム内のＴＲＰにおいて受信された干渉の推定値を更新させ得る。
【０１９３】
ＳＡＲにより引き起こされるＭＰＲによってトリガされるＰＨＲ
各識別されたビームプロセスでは、ＵＥは、少なくとも最大ＥＩＲＰおよび／またはＰcmaxが変化したビームプロセスについて、調整された最大電力に適用可能な新しいパラメータを示す電力ヘッドルーム報告（ＰＨＲ）またはＥＩＲＰ報告など、報告を送るようにトリガされ得る。報告において、ＵＥは、ＳＡＲ関係であるＭＰＲ原因と、影響を及ぼされるビームプロセスの識別情報とを指定し得る。報告は、物理レイヤにおいて制御情報として送信され得る。後者の場合、制御情報は、同じまたは異なるビームプロセスと関連付けられ得る。ＳＡＲにより引き起こされるＭＰＲがＨＦ  ＮＲのビームフォーミングされた動作においてより頻繁になり得るので、ＵＣＩ送信を使用することの潜在的利益は、低いレイテンシおよびオーバーヘッドであり得る。別の実施形態では、ＵＥは、ＭＡＣシグナリングまたはＲＲＣシグナリングを使用して報告を送信し得る。
【０１９４】
ＳＡＲにより引き起こされるＭＰＲによってトリガされた最大利得オフセット報告
ＵＥは、アンテナ要素の数を低減することによって構成されるかまたはＭＰＲを自律的に適用し、それにより、ビームプロセスのビームフォーミング利得を減少させ得る。ＵＥは、要素ごとの電力を不変に保ち得る。ＵＥは、ビームプロセスの適用されたビームフォーミング利得と構成された最大利得との間のオフセットを示すための最大利得オフセット報告を報告するようにトリガされ得る。ｅＮＢは、ビームプロセスのためのアップリンクビーム再選択をトリガし得る。別のソリューションでは、ｅＮＢは、無線リンクを維持するために、低減されたビームフォーミング利得をもつビームプロセスのためのコーディングレートおよび変調方式など、トランスポートフォーマットを低減し得る。これは、ＭＰＲ中のビームプロセスのロバストネスを改善し得る。
【０１９５】
ＳＡＲによってトリガされたビームプロセス再選択
ＵＥは、ＳＡＲにより引き起こされるＭＰＲの結果としてパラメータおよびＰＨＲを更新していることがあるアクティブビームプロセスを再選択し得る。アップリンクビーム再選択は、事前構成されたルールのセットに従って行われ得る。ＵＥは、ビームプロセスアップリンク送信タイプ、更新されたアップリンク送信、アップリンクチャネルタイプ、並びにアップリンク送信モードおよび方式に従ってルールを適用し得る。いくつかの例示的な実施形態では、ＵＥは、新しいビームプロセスを確立することまたはダウンリンクビームおよびアップリンクビームの新しいセットをもつ別のアクティブビームプロセスに切り替えることによって、ビームプロセス関連付けを変更し得る。
【０１９６】
ＳＡＲによって影響を及ぼされるアクティブビームプロセスのアップリンクビーム再選択
ＵＥ６０２は、ＳＡＲによって引き起こされたＭＰＲの結果として処理されたアクティブビームのアップリンクビームを再選択し得る。図６に示された例示的な実施形態６００に示されているように、ＵＥ６０２は、人体６０８に対するビームＢ２（６０６）の近接度により、アクティブビームプロセスのためにビームＢ２（６０６）を交換するために、ビームＢ１（６０４）を再選択し得る。ＵＥ６０２は、アップリンクビームの開ループ選択において、低減された最大ＥＩＲＰおよびＭＲＰを考慮に入れ得る。例えば、ＵＥ６０２は、ビームプロセスと関連付けられたアクティブダウンリンクビームに相反的に対応し得るアップリンクビームに、負のＥＩＲＰ低減を適用し得る。その結果、ＵＥ６０２は、ビームプロセスと関連付けられたアクティブダウンリンクビームに相反するアップリンクビームを選択しないことがある。ＵＥ６０２は、相反性に基づいてではなく、ＳＡＲによって影響を及ぼされるものを含む利用可能なアップリンクビームの調整された最大ＥＩＲＰに基づいて、別のアップリンクビームを選択し得る。ＵＥ６０２はまた、ビームプロセスについてあらかじめ選択され、維持されたデフォルトアップリンクビームにフォールバックし得る。
【０１９７】
ＵＥ６０２は、再選択されたアップリンクビームの経路損失を再推定し得る。各ビームプロセスの「ペアリングされた」ダウンリンクビームは、ダウンリンクデータビーム、または基準ビーム、または他のタイプのダウンリンクビームであり得る。ペアリングは１対１のマッピングでないことがあり、経路損失推定値は、システムブロードキャスト情報において指定された送信電力を使用し得る。再選択されたアップリンクビームのアップリンク電力は、再推定された経路損失に基づき得る。別のソリューションでは、アップリンク電力は、周期同期信号シーケンスを使用して暗黙的に示され得る。
【０１９８】
ＵＥ６０２は、再選択されたアップリンクビームの送信タイミングを再確立し得る。さらに、ビーム再選択は、更新された電力を使用するアップリンクビームスイーピングをトリガし得、ＵＥ６０２は、アップリンクビームペアリングおよびビーム再捕捉プロシージャを開始し得る。ビーム再捕捉は、相反性を使用する関連付けられたダウンリンクビームに基づかないことがある。ＵＥ６０２は、関連付けられたビームプロセスのために、再ペアリングされたダウンリンクビームおよびアップリンクビームを更新し得る。ＵＥ６０２は、再選択されたアップリンクビーム送信を使用して、ｅＮＢにビームプロセス更新情報を送り得る。
【０１９９】
回転または妨害物検知データによってトリガされたビームプロセスプロシージャ：アップリンクビーム再選択および再ペアリング
ＵＥ６０２は、アンテナアレイの配向変化を周期的に推定し、ビーム方向のための基準であり得るローカル座標系を更新し得る。ＵＥ６０２推定は、動きセンサによって提供された回転および妨害物検知データに基づき得る。
【０２００】
ＵＥ６０２は、送信モード、送信方式、ビームフォーミングプロパティなどを含む１つまたは複数の送信プロパティを、自律的にフォールバックし得る。例えば、ＵＥ６０２は、事前構成された広いまたは全方向ビーム幅を適用し得る。増加されたビーム幅は、アップリンク送信エネルギーの一部が、回折を通して、検出された妨害物の周りのｅＮＢに到達することを可能にし得る。また、広いビームパターンは、ＵＥ６０２回転の影響を低減し得る。ＵＥ６０２は、さらに、ブロックサイズと変調およびコーディング方式（ＭＣＳ）とを含む事前構成されたアップリンク制御およびデータチャネルトランスポートフォーマットを使用し得る。ビーム幅の拡幅により、総ＥＩＲＰは低減され得、ＵＥ６０２は、アップリンク品質を維持するためにより小さいブロックサイズと保守的ＭＣＳとを使用し得る。
【０２０１】
別の実施形態では、ＵＥ６０２は、あらかじめ定義されたアップリンクサウンディング構成を使用するアップリンクビームスイーピングを使用してアップリンクサウンディング送信を開始し得る。構成は、基準信号タイプとリソース割振りとを含み得る。これは、ＵＥ６０２が、回転、または検出された妨害物によって影響を及ぼされないことがある、アップリンクビームを識別することを可能にし得る。ＵＥ６０２は、開始されたアップリンクサウンディングプロシージャの結果に基づいてアップリンクビームを再選択し得る。ＵＥ６０２は、サウンディングプロシージャに続いて、測定またはアップリンクビーム再ペアリング要求を送信し得る。
【０２０２】
複数の同時アクティブビームプロセスをもつＵＥ６０２は、回転および妨害物の検出時に、ビームプロセスごとにアップリンクビーム再選択および再ペアリングを開始し得る。ＵＥ６０２は、周波数領域または時間領域のいずれかにおけるアップリンクフォールバックおよび再ペアリング送信のために直交アップリンクリソース構成を適用し得る。別のソリューションでは、ＵＥ６０２は、２つの空間的に分離された同時ビームプロセスを有し得、この場合、ＵＥ６０２は、ビームプロセス送信のために同じ周波数リソースおよび時間リソースを使用し得る。
【０２０３】
ダウンリンクＲＬＦ回避
妨害物はＵＥダウンリンクＲＬＦの原因であり得、ＵＥ６０２は、条件を予測するために回転ベクトルおよびレート推定値を使用し得る。ＵＥ６０２は、回転移動または検出された妨害物が近い時間フレーム中でＲＬＦを引き起こすかどうかを決定するためのルールまたは規準を適用し得る。ルールは、ＳＩＮＲ劣化、受信されたエネルギー減少およびＢＬＥＲ増加のレートを含み得る。ＵＥ６０２は、あらかじめ定義されたトランスポートフォーマットをもつ制御チャネルを使用してダウンリンクビーム再選択プロシージャをトリガするために、事前構成されたシーケンスを送信し得る。別のソリューションでは、ＵＥ６０２は、検知データに基づいて自律送信ＯＦＦを適用し得、その場合、ＵＥ６０２は、全てのアップリンク送信ビームをオフに切り替え、アクティブビームプロセスを中断し得る。これは、ＵＥ６０２が、例えば、極めて速い回転動き、ＵＥ６０２のほうへ極めて急速に移動する極めて高速のまたは大きい妨害物を伴う、極めて不都合なチャネル条件で動作するためにエネルギーを浪費するのを防ぐ。ビームフォーミングされた送信は、これらの条件において存立可能でないことがある。
【０２０４】
ダウンリンクビームプロービングおよび調整
ＵＥ６０２は、ダウンリンクビーム調整のためにビーム固有基準信号送信を要求し得る。ＵＥ６０２は、アクティブデータ受信中に、アクティブビームプロセスと関連付けられたダウンリンクビームの品質メトリックを監視し得る。品質メトリックは、割り当てられた周波数リソース上のアクティブビームペア内のエネルギー検出、雑音上のＤＭＲＳシンボルエネルギー、検知された回転の大きさを含み得る。ＵＥ６０２は、監視された品質メトリックがあらかじめ定義されたしきい値を超えるとき、ＢＳＲＳ送信についての要求を送り得る。ビーム固有基準信号リソース構成は事前構成され得、ＵＥ６０２は、検出されたＢＲＳに基づいて新しいビームのペアリングを開始するために受信ビームスイーピングを使用し得る。ＵＥ６０２は、アクティブビームプロセスと関連付けられた受信ビームを決定し、更新し得る。
【０２０５】
ＵＥ６０２は、周期的に、または各アクティブビームプロセスについてのあらかじめ定義されたイベントによってトリガされて、受信ビームをプローブし得る。ＵＥ６０２は、ＴＴＩごとに、またはアクティブダウンリンクデータ送信中のあらかじめ定義された時間期間にわたって平均化されたＴＴＩの数ごとに、受信ビームフォーミングプロービングを実行する。ＵＥは、特に単一受信ビームＵＥについて、各シンボルにアタッチされたＣＰ若しくはＧＰ、または、有用なデータ送信が存在しない、サブフレーム構造に固有のフィールドを使用し得る。時間期間はまた、特殊サブフレームまたは１つまたは複数のシンボルのブロックとしてスケジュールされ得る。ＵＥ６０２はまた、ＣＰまたはＧＰなしにＵＥ波形上のＵＷ上でプロービングを実行し得る。複数受信ビームＵＥについて、時間期間は、データ送信、例えばデータおよびＤＭＲＳシンボルと重複することがある。
【０２０６】
受信ビームフォーミングプロービングは、完全な受信ビームスイーピング、受信ビーム、例えば隣接する受信ビームのあらかじめ定義されたグループ（ＧＯＢ）若しくは＋／−ｘ度（連続ＢＦ）、および／または前に使用された最良の受信ビームを通じた循環を含み得る。ＵＥ６０２は、各調整された受信ビームについての検出されたエネルギーを測定し、あらかじめ定義された規準に従う最良の受信ビームを見つけ得る。
【０２０７】
プロービング期間は、測定オーバーヘッドを低減するために短くなり得る。アナログ測定は、ある波形について基準信号送信を必要としないことがあり、短いプロービング時間を必要とし得る。ＵＥ６０２は、プロービングの結果として受信ビーム選択を用いてアクティブビームプロセスを更新し得る。
【０２０８】
ＵＥ６０２はまた、ＵＥ６０２回転検出および受信ビームフォーミング測定の結果に基づいて、アクティブビームプロセスと関連付けられた受信ビームを調整し得る。ＵＥ６０２は、連続アナログビームフォーミング能力を用いて受信ビームを自律的に追跡し得る。ＵＥ６０２は、受信ビームプロービング構成と同様に、あらかじめ定義された時間期間中に受信ビームフォーミング調整を実行し得る。ＵＥ６０２は、測定された回転ベクトル、検出されたアクティブビームペアエネルギー変動（広帯域ＡＧＣ値）、アクティブビームペアを使用する受信されたチャネルＳＩＮＲ、受信ビームフォーミング測定において測定されたチャネル品質などに基づいて調整を決定し得る。ＵＥ６０２は、ＴＲＰについての知識なしにアクティブデータ受信を続けるために、更新された受信ビームを適用し得る。ＵＥ６０２は、受信ビーム調整によりアクティブビームプロセスを更新し、１つまたは複数の受信ビームと１つの送信ビームとの間のビームペアのマッピングを維持し得る。
【０２０９】
ＵＥは、候補ビームのセットを使用してリソースのセット上でエネルギーを測定することに基づいて、「最良のビーム」を決定し得る
いくつかの実施形態では、リソースのセットは、ＵＥ６０２のためのダウンリンクデータ送信内の特定の時間期間またはシンボルのシーケンスであり得る。リソースのセットの存在は、送信に適用可能なダウンリンク制御情報中で示されるか、または、上位レイヤによって構成され得る。いくつかのソリューションでは、リソースのセット上にマッピングされた情報は、準最適なビームが使用される場合でも成功した復号の確率を増加させるために、送信の残りのリソースのものとは異なるパラメータを使用して符号化および／または変調され得る。適用可能なパラメータ（例えば、コードレート、変調、または変調およびコーディング方式インデックス）は、ダウンリンク制御情報によって示されるか若しくは上位レイヤによって構成され得るか、または、送信の残りのために適用されるＭＣＳインデックスへの事前決定若しくは事前構成されたオフセットなど、残りのリソース中で使用されるパラメータから暗黙的に決定され得る。
【０２１０】
ネットワークアーキテクチャ
マルチキャストグループ形成に関係するシステムおよび方法は、図７Ａ〜図７Ｆに関して説明される無線通信システムとともに使用され得る。最初の事柄として、これらの無線システムが説明される。図７Ａは、１つまたは複数の開示される実施形態が実装され得る例示的な通信システム７００の図である。通信システム７００は、複数の無線ユーザに、音声、データ、ビデオ、メッセージング、ブロードキャストなど、コンテンツを提供する多元接続（multiple access）システムであり得る。通信システム７００は、複数の無線ユーザが、無線帯域幅を含む、システムリソースの共有を通してそのようなコンテンツにアクセスすることを可能にし得る。
【０２１１】
図７Ａに示されているように、通信システム７００は、（概してまたはまとめてＷＴＲＵ１０２と呼ばれることがある）ＷＴＲＵ１０２ａ、１０２ｂ、１０２ｃ、および／または１０２ｄ、ＲＡＮ１０３／１０４／１０５、コアネットワーク１０６／１０７／１０９、公衆交換電話網（ＰＳＴＮ：public switched telephone network）１０８、インターネット１１０、並びに他のネットワーク１１２を含み得るが、開示される実施形態が、任意の数のＷＴＲＵ、基地局、ネットワーク、および／またはネットワーク要素を企図することが諒解されよう。ＷＴＲＵ１０２ａ、１０２ｂ、１０２ｃ、１０２ｄの各々は、無線環境において動作および／または通信するように構成された任意のタイプのデバイスであり得る。例えば、ＷＴＲＵ１０２ａ、１０２ｂ、１０２ｃ、１０２ｄは、無線信号を送信および／または受信するように構成され得、ユーザ機器（ＵＥ）、移動局、固定されたまたはモバイル加入者ユニット、ページャ、セルラー電話、ＰＤＡ（personal digital assistant）、スマートフォン、ラップトップ、ネットブック、パーソナルコンピュータ、無線センサ、コンシューマエレクトロニクスなどを含み得る。
【０２１２】
通信システム７００は、基地局１１４ａと基地局１１４ｂとをも含み得る。基地局１１４ａ、１１４ｂの各々は、コアネットワーク１０６／１０７／１０９、インターネット１１０、および／またはネットワーク１１２など、１つまたは複数の通信ネットワークへのアクセスを可能にするために、ＷＴＲＵ１０２ａ、１０２ｂ、１０２ｃ、１０２ｄのうちの少なくとも１つとワイヤレスにインターフェースするように構成された任意のタイプのデバイスであり得る。例えば、基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、無線ルータなどであり得る。基地局１１４ａ、１１４ｂは各々単一の要素として示されているが、基地局１１４ａ、１１４ｂが任意の数の相互接続された基地局および／またはネットワーク要素を含み得ることが諒解されよう。
【０２１３】
基地局１１４ａはＲＡＮ１０３／１０４／１０５の一部であり得、ＲＡＮ１０３／１０４／１０５は、基地局コントローラ（ＢＳＣ）、無線ネットワークコントローラ（ＲＮＣ）、リレーノードなど、他の基地局および／またはネットワーク要素（図示せず）をも含み得る。基地局１１４ａおよび／または基地局１１４ｂは、セル（図示せず）と呼ばれることがある、特定の地理的地域内で無線信号を送信および／または受信するように構成され得る。セルは、さらにセクタに分割され得る。例えば、基地局１１４ａと関連付けられたセルは、３つのセクタに分割され得る。従って、一実施形態では、基地局１１４ａは、３つのトランシーバ（セルの各セクタについて１つ）を含み得る。別の実施形態では、基地局１１４ａは、多入力多出力（ＭＩＭＯ）技術を採用し得、セルの各セクタについて複数のトランシーバを利用し得る。
【０２１４】
基地局１１４ａ、１１４ｂは、エアインターフェース１１５／１１６／１１７上でＷＴＲＵ１０２ａ、１０２ｂ、１０２ｃ、１０２ｄのうちの１つまたは複数と通信し得、エアインターフェース１１５／１１６／１１７は、任意の好適な無線通信リンク（例えば、無線周波数（ＲＦ）、マイクロ波、赤外線（ＩＲ）、紫外線（ＵＶ）、可視光など）であり得る。エアインターフェース１１５／１１６／１１７は、任意の好適な無線アクセス技術（ＲＡＴ）を使用して確立され得る。
【０２１５】
より詳細には、上述のように、通信システム７００は、多元接続システムであり得、ＣＤＭＡ、ＴＤＭＡ、ＦＤＭＡ、ＯＦＤＭＡ、ＳＣ−ＦＤＭＡなど、１つまたは複数のチャネルアクセス方式を採用し得る。例えば、ＲＡＮ１０３／１０４／１０５中の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１５／１１６／１１７を確立し得る、ユニバーサルモバイルテレコミュニケーションズシステム（ＵＭＴＳ）地上波無線アクセス（ＵＴＲＡ）など、無線技術を実装し得る。ＷＣＤＭＡは、高速パケットアクセス（ＨＳＰＡ）および／または発展型ＨＳＰＡ（ＨＳＰＡ＋）など、通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【０２１６】
別の実施形態では、基地局１１４ａおよびＷＴＲＵ１０２ａ、１０２ｂ、１０２ｃは、ロングタームエボリューション（ＬＴＥ）および／またはＬＴＥ−アドバンスト（ＬＴＥ−Ａ）を使用してエアインターフェース１１５／１１６／１１７を確立し得る、発展型ＵＭＴＳ地上波無線アクセス（Ｅ−ＵＴＲＡ）など、無線技術を実装し得る。
【０２１７】
他の実施形態では、基地局１１４ａおよびＷＴＲＵ１０２ａ、１０２ｂ、１０２ｃは、ＩＥＥＥ８０２．１６（すなわち、ワールドワイドインターオペラビリティフォーマイクロウェーブアクセス（ＷｉＭＡＸ（登録商標）））、ＣＤＭＡ２０００、ＣＤＭＡ２０００  １Ｘ、ＣＤＭＡ２０００  ＥＶ−ＤＯ、ＩＳ−２０００（Interim Standard 2000）、ＩＳ−９５（Interim Standard 95）、ＩＳ−８５６（Interim Standard 856）、ＧＳＭ（登録商標）（Global System for Mobile Communications）、ＧＳＭ進化型高速データレート（ＥＤＧＥ）、ＧＳＭ  ＥＤＧＥ（ＧＥＲＡＮ）など、無線技術を実装し得る。
【０２１８】
図７Ａ中の基地局１１４ｂは、例えば、無線ルータ、ホームノードＢ、ホームｅノードＢ、またはアクセスポイントであり得、事業所、自宅、車両、構内など、局所化されたエリア中の無線接続性を可能にするための任意の好適なＲＡＴを利用し得る。一実施形態では、基地局１１４ｂおよびＷＴＲＵ１０２ｃ、１０２ｄは、無線ローカルエリアネットワーク（ＷＬＡＮ）を確立するために、ＩＥＥＥ８０２．１１などの無線技術を実装し得る。別の実施形態では、基地局１１４ｂおよびＷＴＲＵ１０２ｃ、１０２ｄは、無線パーソナルエリアネットワーク（ＷＰＡＮ）を確立するために、ＩＥＥＥ８０２．１５などの無線技術を実装し得る。また別の実施形態では、基地局１１４ｂおよびＷＴＲＵ１０２ｃ、１０２ｄは、ピコセルまたはフェムトセルを確立するために、セルラーベースのＲＡＴ（例えば、ＷＣＤＭＡ、ＣＤＭＡ２０００、ＧＳＭ、ＬＴＥ、ＬＴＥ−Ａなど）を利用し得る。図７Ａに示されているように、基地局１１４ｂは、インターネット１１０への直接接続を有し得る。従って、基地局１１４ｂは、コアネットワーク１０６／１０７／１０９を介してインターネット１１０にアクセスすることを必要とされないことがある。
【０２１９】
ＲＡＮ１０３／１０４／１０５は、コアネットワーク１０６／１０７／１０９と通信していることがあり、コアネットワーク１０６／１０７／１０９は、音声、データ、アプリケーション、および／またはＶｏＩＰサービスをＷＴＲＵ１０２ａ、１０２ｂ、１０２ｃ、１０２ｄのうちの１つまたは複数に提供するように構成された任意のタイプのネットワークであり得る。例えば、コアネットワーク１０６／１０７／１０９は、呼制御、課金サービス、モバイル位置情報サービス、プリペイドコーリング、インターネット接続性、ビデオ配信などを提供し、および／または、ユーザ認証など、高レベルセキュリティ機能を実行し得る。図７Ａには示されていないが、ＲＡＮ１０３／１０４／１０５および／またはコアネットワーク１０６／１０７／１０９が、ＲＡＮ１０３／１０４／１０５と同じＲＡＴまたは異なるＲＡＴを採用する他のＲＡＮと直接または間接通信していることがあることが諒解されよう。例えば、Ｅ−ＵＴＲＡ無線技術を利用していることがあるＲＡＮ１０３／１０４／１０５に接続されることに加えて、コアネットワーク１０６／１０７／１０９は、ＧＳＭ無線技術を採用する別のＲＡＮ（図示せず）と通信していることもある。
【０２２０】
コアネットワーク１０６／１０７／１０９はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働き得る。ＰＳＴＮ１０８は、簡易電話サービス（ＰＯＴＳ：plain old telephone service）を提供する回線交換電話ネットワークを含み得る。インターネット１１０は、送信制御プロトコル（ＴＣＰ）／ＩＰインターネットプロトコルスイート中のＴＣＰ、ユーザデータグラムプロトコル（ＵＤＰ）およびＩＰなど、共通通信プロトコルを使用する相互接続されたコンピュータネットワークおよびデバイスのグローバルシステムを含み得る。ネットワーク１１２は、他のサービスプロバイダによって所有され、および／または動作させられる有線および／または無線通信ネットワークを含み得る。例えば、ネットワーク１１２は、ＲＡＮ１０３／１０４／１０５と同じＲＡＴまたは異なるＲＡＴを採用し得る、１つまたは複数のＲＡＮに接続された別のコアネットワークを含み得る。
【０２２１】
通信システム７００中のＷＴＲＵ１０２ａ、１０２ｂ、１０２ｃ、１０２ｄの一部または全部が、マルチモード能力を含み得、すなわち、ＷＴＲＵ１０２ａ、１０２ｂ、１０２ｃ、１０２ｄは、異なる無線リンク上で異なる無線ネットワークと通信するための複数のトランシーバを含み得る。例えば、図７Ａに示されているＷＴＲＵ１０２ｃは、セルラーベースの無線技術を採用し得る基地局１１４ａと通信するように構成され、ＩＥＥＥ８０２無線技術を採用し得る基地局１１４ｂと通信するように構成され得る。
【０２２２】
図７Ｂは、実施形態による、ＲＡＮ１０３およびコアネットワーク１０６のシステム図である。上述のように、ＲＡＮ１０３は、エアインターフェース１１５上でＷＴＲＵ１０２ａ、１０２ｂ、１０２ｃと通信するためにＵＴＲＡ無線技術を採用し得る。ＲＡＮ１０３は、コアネットワーク１０６と通信していることもある。図７Ｂに示されているように、ＲＡＮ１０３は、ノードＢ１４０ａ、１４０ｂ、１４０ｃを含み得、ノードＢ１４０ａ、１４０ｂ、１４０ｃは、各々、エアインターフェース１１５上でＷＴＲＵ１０２ａ、１０２ｂ、１０２ｃと通信するための１つまたは複数のトランシーバを含み得る。ノードＢ１４０ａ、１４０ｂ、１４０ｃは、各々、ＲＡＮ１０３内の特定のセル（図示せず）と関連付けられ得る。ＲＡＮ１０３は、ＲＮＣ１４２ａ、１４２ｂをも含み得る。ＲＡＮ１０３が、実施形態に一致したままでありながら任意の数のノードＢおよびＲＮＣを含み得ることが諒解されよう。
【０２２３】
図７Ｂに示されているように、ノードＢ１４０ａ、１４０ｂは、ＲＮＣ１４２ａと通信していることがある。さらに、ノードＢ１４０ｃは、ＲＮＣ１４２ｂと通信していることがある。ノードＢ１４０ａ、１４０ｂ、１４０ｃは、Ｉｕｂインターフェースを介してそれぞれのＲＮＣ１４２ａ、１４２ｂと通信し得る。ＲＮＣ１４２ａ、１４２ｂは、Ｉｕｒインターフェースを介して互いと通信していることがある。ＲＮＣ１４２ａ、１４２ｂの各々は、それが接続されるそれぞれのノードＢ１４０ａ、１４０ｂ、１４０ｃを制御するように構成され得る。さらに、ＲＮＣ１４２ａ、１４２ｂの各々は、アウターループ電力制御、負荷制御、承認制御、パケットスケジューリング、ハンドオーバ制御、マクロダイバーシティ、セキュリティ機能、データ暗号化など、他の機能性を行うかまたはサポートするように構成され得る。
【０２２４】
図７Ｂに示されているコアネットワーク１０６は、メディアゲートウェイ（ＭＧＷ）１４４、モバイルスイッチングセンター（ＭＳＣ）１４６、サービングＧＰＲＳサポートノード（ＳＧＳＮ）１４８、および／またはゲートウェイＧＰＲＳサポートノード（ＧＧＳＮ）１５０を含み得る。上記の要素の各々はコアネットワーク１０６の一部として示されているが、これらの要素のうちのいずれか１つがコアネットワーク事業者以外のエンティティによって所有され、および／または動作させられ得ることが諒解されよう。
【０２２５】
ＲＡＮ１０３中のＲＮＣ１４２ａは、ＩｕＣＳインターフェースを介してコアネットワーク１０６中のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃと旧来の陸線通信デバイスとの間の通信を可能にするために、ＰＳＴＮ１０８などの回線交換ネットワークへのアクセスをＷＴＲＵ１０２ａ、１０２ｂ、１０２ｃに提供し得る。
【０２２６】
ＲＡＮ１０３中のＲＮＣ１４２ａは、ＩｕＰＳインターフェースを介してコアネットワーク１０６中のＳＧＳＮ１４８にも接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃとＩＰ対応デバイスとの間の通信を可能にするために、インターネット１１０などのパケット交換ネットワークへのアクセスをＷＴＲＵ１０２ａ、１０２ｂ、１０２ｃに提供し得る。
【０２２７】
上述のように、コアネットワーク１０６は、他のサービスプロバイダによって所有され、および／または動作させられる他の有線および／または無線ネットワークを含み得るネットワーク１１２にも接続され得る。
【０２２８】
図７Ｃは、実施形態による、ＲＡＮ１０４およびコアネットワーク１０７のシステム図である。上述のように、ＲＡＮ１０４は、エアインターフェース１１６上でＷＴＲＵ１０２ａ、１０２ｂ、１０２ｃと通信するためにＥ−ＵＴＲＡ無線技術を採用し得る。ＲＡＮ１０４は、コアネットワーク１０７と通信していることもある。
【０２２９】
ＲＡＮ１０４は、ｅノードＢ１６０ａ、１６０ｂ、１６０ｃを含み得るが、ＲＡＮ１０４が、実施形態に一致したままでありながら任意の数のｅノードＢを含み得ることが諒解されよう。ｅノードＢ１６０ａ、１６０ｂ、１６０ｃは、各々、エアインターフェース１１６上でＷＴＲＵ１０２ａ、１０２ｂ、１０２ｃと通信するための１つまたは複数のトランシーバを含み得る。一実施形態では、ｅノードＢ１６０ａ、１６０ｂ、１６０ｃは、ＭＩＭＯ技術を実装し得る。従って、ｅノードＢ１６０ａは、例えば、ＷＴＲＵ１０２ａに無線信号を送信し、ＷＴＲＵ１０２ａから無線信号を受信するために、複数のアンテナを使用し得る。
【０２３０】
ｅノードＢ１６０ａ、１６０ｂ、１６０ｃの各々は、特定のセル（図示せず）と関連付けられ得、無線リソース管理決定、ハンドオーバ決定、アップリンクおよび／またはダウンリンクにおけるユーザのスケジューリングなどを扱うように構成され得る。図７Ｃに示されているように、ｅノードＢ１６０ａ、１６０ｂ、１６０ｃは、Ｘ２インターフェース上で互いと通信し得る。
【０２３１】
図７Ｃに示されているコアネットワーク１０７は、モビリティ管理エンティティ（ＭＭＥ）１６２と、サービングゲートウェイ１６４と、パケットデータネットワーク（ＰＤＮ）ゲートウェイ１６６とを含み得る。上記の要素の各々はコアネットワーク１０７の一部として示されているが、これらの要素のうちのいずれか１つがコアネットワーク事業者以外のエンティティによって所有され、および／または動作させられ得ることが諒解されよう。
【０２３２】
ＭＭＥ１６２は、Ｓ１インターフェースを介してＲＡＮ１０４中のｅノードＢ１６０ａ、１６０ｂ、１６０ｃの各々に接続され得、制御ノードとして働き得る。例えば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの最初のアタッチ中に特定のサービングゲートウェイを選択することなどを担当し得る。ＭＭＥ１６２はまた、ＲＡＮ１０４と、ＧＳＭまたはＷＣＤＭＡなどの他の無線技術を採用する他のＲＡＮ（図示せず）との間で切り替えるための制御プレーン機能を提供し得る。
【０２３３】
サービングゲートウェイ１６４は、Ｓ１インターフェースを介してＲＡＮ１０４中のｅノードＢ１６０ａ、１６０ｂ、１６０ｃの各々に接続され得る。サービングゲートウェイ１６４は、概して、ＷＴＲＵ１０２ａ、１０２ｂ、１０２ｃに／からユーザデータパケットをルーティングおよびフォワーディングし得る。サービングゲートウェイ１６４はまた、ｅノードＢ間ハンドオーバ中にユーザプレーンをアンカリングすること、ダウンリンクデータがＷＴＲＵ１０２ａ、１０２ｂ、１０２ｃのために利用可能であるときにページングをトリガすること、ＷＴＲＵ１０２ａ、１０２ｂ、１０２ｃのコンテキストを管理および記憶することなど、他の機能を実行し得る。
【０２３４】
サービングゲートウェイ１６４はまた、ＰＤＮゲートウェイ１６６に接続され得、これは、ＷＴＲＵ１０２ａ、１０２ｂ、１０２ｃとＩＰ対応デバイスとの間の通信を可能にするために、インターネット１１０などのパケット交換ネットワークへのアクセスをＷＴＲＵ１０２ａ、１０２ｂ、１０２ｃに提供し得る。
【０２３５】
コアネットワーク１０７は、他のネットワークとの通信を可能にし得る。例えば、コアネットワーク１０７は、ＷＴＲＵ１０２ａ、１０２ｂ、１０２ｃと旧来の陸線通信デバイスとの間の通信を可能にするために、ＰＳＴＮ１０８などの回線交換ネットワークへのアクセスをＷＴＲＵ１０２ａ、１０２ｂ、１０２ｃに提供し得る。例えば、コアネットワーク１０７は、コアネットワーク１０７とＰＳＴＮ１０８との間のインターフェースとして働くＩＰゲートウェイ（例えば、ＩＰマルチメディアサブシステム（ＩＭＳ）サーバ）を含み得るか、またはそれと通信し得る。さらに、コアネットワーク１０７は、他のサービスプロバイダによって所有され、および／または動作させられる他の有線および／または無線ネットワークを含み得るネットワーク１１２へのアクセスをＷＴＲＵ１０２ａ、１０２ｂ、１０２ｃに提供し得る。
【０２３６】
図７Ｄは、実施形態による、ＲＡＮ１０５およびコアネットワーク１０９のシステム図である。ＲＡＮ１０５は、エアインターフェース１１７上でＷＴＲＵ１０２ａ、１０２ｂ、１０２ｃと通信するためにＩＥＥＥ８０２．１６無線技術を採用するアクセスサービスネットワーク（ＡＳＮ）であり得る。以下でさらに説明されるように、ＷＴＲＵ１０２ａ、１０２ｂ、１０２ｃ、ＲＡＮ１０５、およびコアネットワーク１０９の異なる機能エンティティ間の通信リンクは、基準ポイントとして定義され得る。
【０２３７】
図７Ｄに示されているように、ＲＡＮ１０５は、基地局１８０ａ、１８０ｂ、１８０ｃとＡＳＮゲートウェイ１８２とを含み得るが、ＲＡＮ１０５が、実施形態に一致したままでありながら任意の数の基地局およびＡＳＮゲートウェイを含み得ることが諒解されよう。基地局１８０ａ、１８０ｂ、１８０ｃは、各々、ＲＡＮ１０５中の特定のセル（図示せず）と関連付けられ得、各々、エアインターフェース１１７上でＷＴＲＵ１０２ａ、１０２ｂ、１０２ｃと通信するための１つまたは複数のトランシーバを含み得る。一実施形態では、基地局１８０ａ、１８０ｂ、１８０ｃは、ＭＩＭＯ技術を実装し得る。従って、基地局１８０ａは、例えば、ＷＴＲＵ１０２ａに無線信号を送信し、ＷＴＲＵ１０２ａから無線信号を受信するために、複数のアンテナを使用し得る。基地局１８０ａ、１８０ｂ、１８０ｃはまた、ハンドオフトリガリング、トンネル確立、無線リソース管理、トラフィック分類、サービス品質（ＱｏＳ）ポリシー実施など、モビリティ管理機能を提供し得る。ＡＳＮゲートウェイ１８２は、トラフィックアグリゲーションポイントとして働き得、ページング、加入者プロファイルのキャッシング、コアネットワーク１０９へのルーティングなどを担当し得る。
【０２３８】
ＷＴＲＵ１０２ａ、１０２ｂ、１０２ｃとＲＡＮ１０５との間のエアインターフェース１１７は、ＩＥＥＥ８０２．１６仕様を実装するＲ１基準ポイントとして定義され得る。さらに、ＷＴＲＵ１０２ａ、１０２ｂ、１０２ｃの各々は、コアネットワーク１０９との論理インターフェース（図示せず）を確立し得る。ＷＴＲＵ１０２ａ、１０２ｂ、１０２ｃとコアネットワーク１０９との間の論理インターフェースは、認証、許可、ＩＰホスト構成管理、および／またはモビリティ管理のために使用され得るＲ２基準ポイント（図示せず）として定義され得る。
【０２３９】
基地局１８０ａ、１８０ｂ、１８０ｃの各々の間の通信リンクは、基地局間のＷＴＲＵハンドオーバおよびデータの転送を可能にするためのプロトコルを含むＲ８基準ポイントとして定義され得る。基地局１８０ａ、１８０ｂ、１８０ｃとＡＳＮゲートウェイ１８２との間の通信リンクは、Ｒ６基準ポイントとして定義され得る。Ｒ６基準ポイントは、ＷＴＲＵ１０２ａ、１０２ｂ、１０２ｃの各々と関連付けられたモビリティイベントに基づいてモビリティ管理を可能にするためのプロトコルを含み得る。
【０２４０】
図７Ｄに示されているように、ＲＡＮ１０５は、コアネットワーク１０９に接続され得る。ＲＡＮ１０５とコアネットワーク１０９との間の通信リンクは、例えば、データ転送およびモビリティ管理能力を可能にするためのプロトコルを含むＲ３基準ポイントとして定義され得る。コアネットワーク１０９は、モバイルＩＰホームエージェント（ＭＩＰ−ＨＡ）１８４と、認証、許可、アカウンティング（ＡＡＡ）サーバ１８６と、ゲートウェイ１８８とを含み得る。上記の要素の各々はコアネットワーク１０９の一部として示されているが、これらの要素のうちのいずれか１つがコアネットワーク事業者以外のエンティティによって所有され、および／または動作させられ得ることが諒解されよう。
【０２４１】
ＭＩＰ−ＨＡ１８４は、ＩＰアドレス管理を担当し得、異なるＡＳＮおよび／または異なるコアネットワーク間でＷＴＲＵ１０２ａ、１０２ｂ、１０２ｃがローミングすることを可能にし得る。ＭＩＰ−ＨＡ１８４は、ＷＴＲＵ１０２ａ、１０２ｂ、１０２ｃとＩＰ対応デバイスとの間の通信を可能にするために、インターネット１１０などのパケット交換ネットワークへのアクセスをＷＴＲＵ１０２ａ、１０２ｂ、１０２ｃに提供し得る。ＡＡＡサーバ１８６は、ユーザ認証とユーザサービスをサポートすることとを担当し得る。ゲートウェイ１８８は、他のネットワークとのインターワーキングを可能にし得る。例えば、ゲートウェイ１８８は、ＷＴＲＵ１０２ａ、１０２ｂ、１０２ｃと旧来の陸線通信デバイスとの間の通信を可能にするために、ＰＳＴＮ１０８などの回線交換ネットワークへのアクセスをＷＴＲＵ１０２ａ、１０２ｂ、１０２ｃに提供し得る。さらに、ゲートウェイ１８８は、他のサービスプロバイダによって所有され、および／または動作させられる他の有線および／または無線ネットワークを含み得るネットワーク１１２へのアクセスをＷＴＲＵ１０２ａ、１０２ｂ、１０２ｃに提供し得る。
【０２４２】
図７Ｄには示されていないが、ＲＡＮ１０５が他のＡＳＮに接続され得、コアネットワーク１０９が他のコアネットワークに接続され得ることが諒解されよう。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを協調させるためのプロトコルを含み得るＲ４基準ポイント（図示せず）として定義され得る。コアネットワーク１０９と他のコアネットワークとの間の通信リンクは、ホームコアネットワークと訪問されるコアネットワークとの間のインターワーキングを可能にするためのプロトコルを含み得るＲ５基準ポイント（図示せず）として定義され得る。
【０２４３】
図７Ｅは、例示的なＷＴＲＵ１０２のシステム図である。図７Ｅに示されているように、ＷＴＲＵ１０２は、プロセッサ１１８と、トランシーバ１２０と、送受信要素１２２と、スピーカー／マイクロフォン１２４と、キーパッド１２６と、ディスプレイ／タッチパッド１２８と、非リムーバブルメモリ１３０と、リムーバブルメモリ１３２と、電源１３４と、ＧＰＳチップセット１３６と、他の周辺機器１３８とを含み得る。トランシーバ１２０は、デコーダ論理１１９の構成要素として実装され得る。例えば、トランシーバ１２０およびデコーダ論理１１９は、単一のＬＴＥまたはＬＴＥ−Ａチップ上で実装され得る。デコーダ論理は、非一時的コンピュータ可読媒体に記憶された命令を実行するように動作可能なプロセッサを含み得る。代替として、または追加として、デコーダ論理は、カスタムおよび／またはプログラマブルデジタル論理回路を使用して実装され得る。
【０２４４】
ＷＴＲＵ１０２が、実施形態に一致したままでありながら上記の要素の部分組合せを含み得ることが諒解されよう。また、実施形態は、基地局１１４ａおよび１１４ｂ、並びに／または、限定はされないが、特に、トランシーバ局（ＢＴＳ）、ノードＢ、サイトコントローラ、アクセスポイント（ＡＰ）、ホームノードＢ、発展型ホームノードＢ（ｅノードＢ）、ホーム発展型ノードＢ（ＨｅＮＢ）、ホーム発展型ノードＢゲートウェイ、およびプロキシノードなど、基地局１１４ａおよび１１４ｂが表し得るノードが、図７Ｅに示され、本明細書で説明される要素のうちの一部または全部を含み得ることを企図する。
【０２４５】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他のタイプの集積回路（ＩＣ）、状態機械などであり得る。プロセッサ１１８は、信号コーディング、データ処理、電力制御、入出力処理、および／またはＷＴＲＵ１０２が無線環境において動作することを可能にする他の機能性を実行し得る。プロセッサ１１８は、送受信要素１２２に結合され得る、トランシーバ１２０に結合され得る。図７Ｅはプロセッサ１１８とトランシーバ１２０とを別個の構成要素として示しているが、プロセッサ１１８とトランシーバ１２０とが電子パッケージまたはチップ中に一緒に組み込まれ得ることが諒解されよう。
【０２４６】
送受信要素１２２は、エアインターフェース１１５／１１６／１１７上で基地局（例えば、基地局１１４ａ）に信号を送信するか、またはそれから信号を受信するように構成され得る。例えば、一実施形態では、送受信要素１２２は、ＲＦ信号を送信および／または受信するように構成されたアンテナであり得る。別の実施形態では、送受信要素１２２は、例えば、ＩＲ、ＵＶ、または可視光信号を送信および／または受信するように構成されたエミッタ／検出器であり得る。別の実施形態では、送受信要素１２２は、ＲＦ信号と光信号の両方を送信および受信するように構成され得る。送受信要素１２２が、無線信号の任意の組合せを送信および／または受信するように構成され得ることが諒解されよう。
【０２４７】
さらに、送受信要素１２２は単一の要素として図７Ｅに示されているが、ＷＴＲＵ１０２は任意の数の送受信要素１２２を含み得る。より詳細には、ＷＴＲＵ１０２はＭＩＭＯ技術を採用し得る。従って、一実施形態では、ＷＴＲＵ１０２は、エアインターフェース１１５／１１６／１１７上で無線信号を送信および受信するための２つまたはそれ以上の送受信要素１２２（例えば、複数のアンテナ）を含み得る。
【０２４８】
トランシーバ１２０は、送受信要素１２２によって送信されるべきである信号を変調し、送受信要素１２２によって受信される信号を復調するように構成され得る。上述のように、ＷＴＲＵ１０２はマルチモード能力を有し得る。従って、トランシーバ１２０は、ＷＴＲＵ１０２が、例えば、ＵＴＲＡおよびＩＥＥＥ８０２．１１など、複数のＲＡＴを介して通信することを可能にするための複数のトランシーバを含み得る。
【０２４９】
ＷＴＲＵ１０２のプロセッサ１１８は、スピーカー／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合され得、それらからユーザ入力データを受信し得る。プロセッサ１１８はまた、スピーカー／マイクロフォン１２４、キーパッド１２６、および／またはディスプレイ／タッチパッド１２８にユーザデータを出力し得る。さらに、プロセッサ１１８は、非リムーバブルメモリ１３０および／またはリムーバブルメモリ１３２など、任意のタイプの好適なメモリからの情報にアクセスし、それにデータを記憶し得る。非リムーバブルメモリ１３０は、ランダムアクセスメモリ（ＲＡＭ）、読取り専用メモリ（ＲＯＭ）、ハードディスク、または任意の他のタイプのメモリ記憶デバイスを含み得る。リムーバブルメモリ１３２は、加入者識別モジュール（ＳＩＭ）カード、メモリスティック、セキュアデジタル（ＳＤ）メモリカードなどを含み得る。他の実施形態では、プロセッサ１１８は、サーバまたはホームコンピュータ（図示せず）上など、ＷＴＲＵ１０２上に物理的に位置しないメモリからの情報にアクセスし、それにデータを記憶し得る。
【０２５０】
プロセッサ１１８は、電源１３４から電力を受信し得、ＷＴＲＵ１０２中の他の構成要素への電力を分配および／または制御するように構成され得る。電源１３４は、ＷＴＲＵ１０２に電力供給するための任意の好適なデバイスであり得る。例えば、電源１３４は、１つまたは複数の乾電池（例えば、ニッケルカドミウム（ＮｉＣｄ）、ニッケル亜鉛（ＮｉＺｎ）、ニッケル金属水素化物（ＮｉＭＨ）、リチウムイオン（Ｌｉ−ｉｏｎ）など）、太陽電池、燃料電池などを含み得る。
【０２５１】
プロセッサ１１８は、ＧＰＳチップセット１３６にも結合され得、ＧＰＳチップセット１３６は、ＷＴＲＵ１０２の現在ロケーションに関するロケーション情報（例えば、経度および緯度）を提供するように構成され得る。ＧＰＳチップセット１３６からの情報に加えて、またはそれの代わりに、ＷＴＲＵ１０２は、基地局（例えば、基地局１１４ａ、１１４ｂ）からエアインターフェース１１５／１１６／１１７上でロケーション情報を受信し、および／または、信号のタイミングが２つまたはそれ以上の近くの基地局から受信されたことに基づいてそれのロケーションを決定し得る。ＷＴＲＵ１０２が、実施形態に一致したままでありながら任意の好適なロケーション決定方法を介してロケーション情報を捕捉し得ることが諒解されよう。
【０２５２】
プロセッサ１１８は、さらに、他の周辺機器１３８に結合され得、他の周辺機器１３８は、追加の特徴、機能性および／または有線若しくは無線接続性を提供する、１つまたは複数のソフトウェアおよび／またはハードウェアモジュールを含み得る。例えば、周辺機器１３８は、加速度計、電子コンパス、衛星トランシーバ、（写真またはビデオのための）デジタルカメラ、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調された（ＦＭ）無線ユニット、デジタル音楽プレーヤ、メディアプレーヤ、ビデオゲームプレーヤモジュール、インターネットブラウザなどを含み得る。
【０２５３】
図７Ｆは、図７Ａの通信システム７００内で使用され得る例示的なネットワークエンティティ１９０を示す。図７Ｆに示されているように、ネットワークエンティティ１９０は、通信インターフェース１９２と、プロセッサ１９４と、非一時的データストレージ１９６とを含み、それらの全ては、バス、ネットワーク、または他の通信経路１９８によって通信可能にリンクされる。
【０２５４】
通信インターフェース１９２は、１つまたは複数の有線通信インターフェースおよび／または１つまたは複数の無線通信インターフェースを含み得る。有線通信に関して、通信インターフェース１９２は、例えば、イーサネットインターフェースなどの１つまたは複数のインターフェースを含み得る。無線通信に関して、通信インターフェース１９２は、１つまたは複数のアンテナ、１つまたは複数のタイプの無線（例えば、ＬＴＥ）通信のために設計および構成された１つまたは複数のトランシーバ／チップセット、並びに／または当業者によって好適と見なされる任意の他の構成要素など、構成要素を含み得る。また、さらに無線通信に関して、通信インターフェース１９２は、無線通信（例えば、ＬＴＥ通信、Ｗｉ−Ｆｉ通信など）の、クライアント側とは対照的にネットワーク側に作用することに適した、規模でおよび構成を装備し得る。従って、通信インターフェース１９２は、カバレージエリア中の複数の移動局、ＵＥ、または他のアクセス端末をサービスするための（場合によっては複数のトランシーバを含む）適切な機器および回路を含み得る。
【０２５５】
プロセッサ１９４は、当業者によって好適と見なされる任意のタイプの１つまたは複数のプロセッサを含み得、ある例は汎用マイクロプロセッサおよび専用ＤＳＰを含む。
【０２５６】
データストレージ１９６は、任意の非一時的コンピュータ可読媒体またはそのような媒体の組合せの形態をとり得、いくつかの例は、当業者によって好適と見なされる任意の１つまたは複数のタイプの非一時的データストレージが使用され得るように、ほんのいくつかの例を挙げれば、フラッシュメモリ、ＲＯＭ、およびＲＡＭを含む。図７Ｆに示されているように、データストレージ１９６は、本明細書で説明される様々なネットワークエンティティ機能の様々な組合せを行うための、プロセッサ１９４によって実行可能なプログラム命令１９７を含んでいる。
【０２５７】
いくつかの実施形態では、本明細書で説明されるネットワークエンティティ機能は、図７Ｆのネットワークエンティティ１９０の構造と同様の構造を有するネットワークエンティティによって行われる。いくつかの実施形態では、そのような機能のうちの１つまたは複数は、組合せで複数のネットワークエンティティのセットによって行われ、ここで、各ネットワークエンティティは、図７Ｆのネットワークエンティティ１９０の構造と同様の構造を有する。様々な異なる実施形態では、ネットワークエンティティ１９０は、ＲＡＮ１０３（中の１つまたは複数のエンティティ）、ＲＡＮ１０４（中の１つまたは複数のエンティティ）、ＲＡＮ１０５（中の１つまたは複数のエンティティ）、コアネットワーク１０６（中の１つまたは複数のエンティティ）、コアネットワーク１０７（中の１つまたは複数のエンティティ）、コアネットワーク１０９（中の１つまたは複数のエンティティ）、基地局１１４ａ、基地局１１４ｂ、ノードＢ１４０ａ、ノードＢ１４０ｂ、ノードＢ１４０ｃ、ＲＮＣ１４２ａ、ＲＮＣ１４２ｂ、ＭＧＷ１４４、ＭＳＣ１４６、ＳＧＳＮ１４８、ＧＧＳＮ１５０、ｅノードＢ１６０ａ、ｅノードＢ１６０ｂ、ｅノードＢ１６０ｃ、ＭＭＥ１６２、サービングゲートウェイ１６４、ＰＤＮゲートウェイ１６６、基地局１８０ａ、基地局１８０ｂ、基地局１８０ｃ、ＡＳＮゲートウェイ１８２、ＭＩＰ−ＨＡ１８４、ＡＡＡ１８６、およびゲートウェイ１８８のうちの１つまたは複数であるか、または少なくともそれらを含む。また、確実に、他のネットワークエンティティおよび／またはネットワークエンティティの組合せは、上記のリストが限定としてではなく例として提供されるので、本明細書で説明されるネットワークエンティティ機能を行うために様々な実施形態において使用され得る。
【０２５８】
特徴および要素が特定の組合せで上述されたが、各特徴または要素が単独でまたは他の特徴および要素との任意の組合せで使用され得ることを、当業者は諒解されよう。さらに、本明細書で説明される方法は、コンピュータまたはプロセッサによる実行のためにコンピュータ可読媒体に組み込まれたコンピュータプログラム、ソフトウェア、またはファームウェアにおいて実装され得る。コンピュータ可読媒体の例は、（有線または無線接続上で送信された）電子信号およびコンピュータ可読記憶媒体を含む。コンピュータ可読記憶媒体の例は、限定はされないが、ＲＯＭ、ＲＡＭ、レジスタ、キャッシュメモリ、半導体メモリデバイス、内蔵ハードディスクおよびリムーバブルディスクなどの磁気媒体、光磁気媒体、並びに、ＣＤ−ＲＯＭディスク、およびデジタル多用途ディスク（ＤＶＤ）などの光媒体を含む。ＷＴＲＵ、ＵＥ、端末、基地局、ＲＮＣ、または任意のホストコンピュータにおいて使用するための無線周波数トランシーバを実装するために、ソフトウェアに関連するプロセッサが使用され得る。
【０２５９】
使用される略語
Δｆ  サブキャリア間隔
５ｇＦｌｅｘ  ５Ｇフレキシブル無線アクセス技術
５ｇＮＢ  ５ＧＦｌｅｘノードＢ
ＡＣＫ  肯定応答
ＢＢ  ベースバンド
ＢＬＥＲ  ブロックエラーレート
ＢＴＩ  （１つまたは複数のシンボル持続時間の整数倍における）基本ＴＩ
ＣＢ  競合ベース（例えば、アクセス、チャネル、リソース）
ＣｏＭＰ  多地点協調送信／受信
ＣＰ  サイクリックプレフィックス
ＣＰ−ＯＦＤＭ  （サイクリックプレフィックスに依拠する）従来のＯＦＤＭ
ＣＱＩ  チャネル品質インジケータ
ＣＳＩ  チャネル状態情報
ＣＮ  コアネットワーク（例えばＬＴＥパケットコア）
ＣＲＣ  巡回冗長検査
ＣＳＧ  限定加入者グループ
Ｄ２Ｄ  デバイスツーデバイス送信（例えばＬＴＥサイドリンク）
ＤＣＩ  ダウンリンク制御情報
ＤＬ  ダウンリンク
ＤＭ−ＲＳ  復調基準信号
ＤＲＢ  データ無線ベアラ
ＥＩＲＰ  等価等方放射電力（Equivalent Isotropically-Radiated Power）
ＥＰＣ  発展型パケットコア
ＦＢ  フィードバック
ＦＢＭＣ  フィルタ処理された帯域マルチキャリア（Filtered Band Multi-Carrier）
ＦＢＭＣ／ＯＱＡＭ  オフセット直交振幅変調を使用するＦＢＭＣ技法
ＦＤＤ  周波数分割複信
ＦＤＭ  周波数分割多重化
ＩＣＣ  工業制御および通信（Industrial Control and Communications）
ＩＣＩＣ  セル間干渉消去
ＩＰ  インターネットプロトコル
ＬＡＡ  ライセンス支援型アクセス
ＬＢＴ  リッスンビフォアトーク
ＬＣＨ  論理チャネル
ＬＣＰ  論理チャネル優先度付け
ＬＬＣ  低レイテンシ通信
ＬＴＥ  例えば３ＧＰＰ  ＬＴＥ  Ｒ８以上からのロングタームエボリューション
ＭＡＣ  媒体アクセス制御
ＮＡＣＫ  否定ＡＣＫ
ＭＢＢ  大規模ブロードバンド通信（Massive Broadband Communications）
ＭＣ  マルチキャリア
ＭＣＳ  変調およびコーディング方式
ＭＩＭＯ  多入力多出力
ＭＴＣ  マシンタイプ通信
ＮＡＳ  非アクセス層
ＯＦＤＭ  直交周波数分割多重化
ＯＯＢ  帯域外（放出）
Ｐcmax  所与のＴＩ中の総利用可能なＵＥ電力
ＰＨＹ  物理レイヤ
ＰＲＡＣＨ  物理ランダムアクセスチャネル
ＰＤＵ  プロトコルデータユニット
ＰＥＲ  パケットエラーレート
ＰＬＭＮ  パブリックランドモバイルネットワーク
ＰＬＲ  パケットロスレート
ＰＳＳ  １次同期信号
ＱｏＳ  （物理レイヤ観点からの）サービス品質
ＲＡＢ  無線アクセスベアラ
ＲＡＣＨ  ランダムアクセスチャネル（またはプロシージャ）
ＲＦ  無線フロントエンド
ＲＬＦ  無線リンク障害
ＲＮＴＩ  無線ネットワーク識別子
ＲＲＣ  無線リソース制御
ＲＲＭ  無線リソース管理
ＲＳ  基準信号
ＲＴＴ  ラウンドトリップ時間
ＳＣＭＡ  シングルキャリア多元接続
ＳＤＵ  サービスデータユニット
ＳＬ  サイドリンク
ＳＯＭ  スペクトル動作モード
ＳＳ  同期信号
ＳＳＳ  ２次同期信号
ＳＲＢ  シグナリング無線ベアラ
ＳＷＧ  （自己完結型サブフレーム中の）スイッチングギャップ
ＴＢ  トランスポートブロック
ＴＤＤ  時分割複信
ＴＤＭ  時分割多重化
ＴＩ  （１つまたは複数のＢＴＩの整数倍における）時間間隔
ＴＴＩ  （１つまたは複数のＴＩの整数倍における）送信時間間隔
ＴＲＰ  送信／受信ポイント
ＴＲＸ  トランシーバ
ＵＥ  ユーザ機器
ＵＦＭＣ  ユニバーサルフィルタ処理されたマルチキャリア（Universal Filtered Multi-Carrier）
ＵＦ−ＯＦＤＭ  ユニバーサルフィルタ処理されたＯＦＤＭ（Universal Filtered OFDM）
ＵＬ  アップリンク
ＵＲＣ  超高信頼通信（Ultra-Reliable Communications）
ＵＲＬＬＣ  超高信頼および低レイテンシ通信（Ultra-Reliable and Low Latency Communications）
Ｖ２Ｖ  車車間通信
Ｖ２Ｘ  車両通信
ＷＬＡＮ  無線ローカルエリアネットワークおよび関連技術（ＩＥＥＥ８０２．ｘｘ領域）
ＺＣ  Ｚａｄｏｆｆ−Ｃｈｕシーケンス
【図１】
2019521548.tif 000003
【図２】
2019521548.tif 000004
【図３Ａ】
2019521548.tif 000005
【図３Ｂ】
2019521548.tif 000006
【図４】
2019521548.tif 000007
【図５】
2019521548.tif 000008
【図６】
2019521548.tif 000009
【図７Ａ】
2019521548.tif 000010
【図７Ｂ】
2019521548.tif 000011
【図７Ｃ】
2019521548.tif 000012
【図７Ｄ】
2019521548.tif 000013
【図７Ｅ】
2019521548.tif 000014
【図７Ｆ】
2019521548.tif 000015
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
複数のアンテナ要素を含むユーザ機器（ＵＥ）エンティティによる使用のための方法であって、
複数のビームプロセスとともに前記ＵＥエンティティを構成することであって、各ビームプロセスは、プリコーディング重みの対応するセットを使用して取得された放射パターンに対応し、各ビームプロセスは、ビームプロセス識別子を有し、１または複数のダウンリンク基準信号に関連付けられる、ことと、
ダウンリンク制御情報から受信されたビームプロセス識別の指示に基づいて前記複数の構成されたビームプロセスの中から第１のビームプロセスを選択することと、
前記第１の選択されたビームプロセスに対応するプリコーディング重みの前記セットによって前記複数のアンテナ要素を重み付けすることを含む、前記第１の選択されたビームプロセスを使用して第１の送受信ポイント（ＴＲＰ）と通信することと
を含む方法。
【請求項２】
前記第１の選択されたビームプロセスは、対応する送信電力レベルと対応するタイミングアドバンスとを含み、前記第１の選択されたビームプロセスを使用して通信することは、前記対応する送信電力レベルと前記対応するタイミングアドバンスとを使用して送信することを含む、請求項１の方法。
【請求項３】
前記第１の選択されたビームプロセスは、対応する自動利得コントローラ設定を含み、前記第１の選択されたビームプロセスを使用して通信することは、前記対応する自動利得コントローラ設定を使用して受信することを含む、請求項１の方法。
【請求項４】
前記第１のＴＲＰから前記ＵＥエンティティによって受信された指示に応答して、追加のビームプロセスを構成することをさらに含む、請求項１の方法。
【請求項５】
人体に対する対応するビームの近接度に応答して前記複数のビームプロセスの少なくともそれぞれのビームプロセスを再構成することをさらに含む、請求項１の方法。
【請求項６】
複数の利用可能なビームの中からそれぞれのビームプロセスとともに使用するための対応するビームを選択することによって、前記複数のビームプロセスの少なくとも前記それぞれのビームプロセスを構成することをさらに含む、請求項１の方法。
【請求項７】
前記それぞれのビームプロセスを構成することは、前記選択された対応するビームのビームクラスに少なくとも部分的に基づいて送信電力を事前構成することを含み、前記ビームクラスは前記ビームの指向性に基づいて決定される、請求項６の方法。
【請求項８】
前記複数の利用可能なビームの中から前記対応するビームを選択することは、前記複数の利用可能なビームの各々を使用してビームサウンディング基準信号を送信することと、前記複数の利用可能なビームの各々に対応するフィードバックを受信することとを含む、請求項６の方法。
【請求項９】
前記複数の利用可能なビームの中から前記対応するビームを選択することは、前記複数の利用可能なビームの各々を使用してビーム選択基準信号を受信し、測定することを含む、請求項６の方法。
【請求項１０】
前記それぞれのビームプロセスを構成することは、ランダムアクセスプロシージャにおいて実行される、請求項６の方法。
【請求項１１】
前記第１の選択されたビームプロセスは、第１の通信リソースを使用した前記第１のＴＲＰとの通信のために選択され、前記方法は、
第２の通信リソースを使用した前記第１のＴＲＰとの通信のために前記複数の構成されたビームプロセスの中から第２のビームプロセスを選択することと、
前記第１の通信リソースで前記第１の選択されたビームプロセスを使用した前記第１のＴＲＰと通信し、および前記第２の通信リソースで前記第２の選択されたビームプロセスを使用した前記第１のＴＲＰと通信することと
をさらに含む、請求項１の方法。
【請求項１２】
前記第１の通信リソースおよび前記第２の通信リソースは、異なる時間リソースである、請求項１１の方法。
【請求項１３】
前記第１の通信リソースおよび前記第２の通信リソースは、異なる周波数リソースである、請求項１１の方法。
【請求項１４】
前記第１の通信リソースおよび前記第２の通信リソースは、異なるコードリソースである、請求項１１の方法。
【請求項１５】
第２のＴＲＰとの通信のために前記複数の構成されたビームプロセスの中から第２のビームプロセスを選択することと、
前記第２の選択されたビームプロセスに対応するプリコーディング重みの前記セットによって前記複数のアンテナ要素を重み付けすることを含む、前記第２の選択されたビームプロセスを使用して前記第２のＴＲＰと通信することと
をさらに含む、請求項１の方法。
【請求項１６】
前記複数の構成されたビームプロセスのうちの少なくとも２つは、異なる構成された最大電力パラメータを含む、請求項１の方法。
【請求項１７】
前記第１の選択されたビームプロセスを使用した前記第１のＴＲＰとの通信中に無線リンク障害を検出することと、
反応して、第２のビームプロセスを選択することと、
その後、前記第２の選択されたビームプロセスを使用して前記第１のＴＲＰと通信することと
をさらに含む、請求項１の方法。
【請求項１８】
複数のビームプロセスとともに前記ＵＥエンティティを構成することは、ダウンリンク基準信号上で測定を実行することを含む、請求項１の方法。
【請求項１９】
複数のビームプロセスとともに前記ＵＥエンティティを構成することは、受信のためのビームを決定するためにダウンリンク基準信号上で測定を実行することを含む、請求項１の方法。
【国際調査報告】
2019521548.tif 000016
2019521548.tif 000017
2019521548.tif 000018
2019521548.tif 000019